(57)【特許請求の範囲】
【請求項１】
ワイヤレス通信の方法であって、
可変数の制御フィールドから、フレームに含めるための１つまたは複数の制御フィールドを選択することと、
前記選択された数の制御フィールドを備える前記フレームを生成することと、
前記フレームを送信することと、
を備え、ここにおいて、各制御フィールドは、
制御識別子フィールドと、
制御情報フィールドと、前記制御情報フィールドは、通信のための情報を含み、前記制御識別子フィールドは、前記情報のタイプを指示するインジケータを含む、
をさらに備え、
ここにおいて、前記制御識別子フィールドは、トリガ情報を指示し、ここにおいて、前記制御情報フィールドは、トリガ情報フィールドを備える、または、
ここにおいて、前記制御識別子フィールドは、バッファ状態（ＢＳ）要求またはＢＳ報告を指示し、および、ここにおいて、前記制御情報フィールドは、バッファ状態情報に対する要求またはバッファ状態情報についての報告を包含する１つまたは複数のサブフィールドを備える、
方法。
【請求項２】
各制御フィールドは、第１のフィールドをさらに備え、前記第１のフィールドは、前記制御フィールドのバリアント（variant）を備える前記制御フィールドを指示するインジケータを記憶し、前記バリアントは、前記制御フィールドの超ハイ・スループット（ＶＨＴ）バリアントの高効率（ＨＥ）バリアントを備える、請求項１に記載の方法。
【請求項３】
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて前記フィードバック・フィールドのコンテンツは、前記チャネル／ＭＣＳ指示フィールドに基づき、ここにおいて前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて前記制御情報フィールドは、ＣＲＣフィールドを備える、
のうちの少なくとも１つを指示する、請求項１に記載の方法。
【請求項４】
前記フレームを生成することは、
物理レイヤ・コンバージェンス・プロシージャ（ＰＬＣＰ）プロトコル・データ・ユニット（ＰＰＤＵ）フレームの物理レイヤ・ヘッダ部分内で前記フレームを生成すること、ここにおいて前記物理レイヤ・ヘッダ部分は、信号フィールド、ロング・トレーニング・フィールドおよびショート・トレーニング・フィールドのうちの１つまたは複数を備える、または、
前記１つまたは複数の制御フィールドを包含するアグリゲートされたメディア・アクセス制御プロトコル・データ・ユニット（Ａ−ＭＰＤＵ）サブフレーム内で前記フレームを生成すること
を備える、請求項１に記載の方法。
【請求項５】
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、請求項１に記載の方法。
【請求項６】
前記トリガ情報フィールドは、局に関わるサブチャネル情報を指示するか、圧縮または非圧縮のアップリンク媒体アクセス制御（ＭＡＣ）フォーマットを指示する、請求項１に記載の方法。
【請求項７】
前記選択された数の制御フィールドは、第１のデバイスに宛てられた１つまたは複数の第１の制御フィールドおよび第２のデバイスに宛てられた１つまたは複数の第２の制御フィールドを備える、請求項１に記載の方法。
【請求項８】
前記１つまたは複数の第１の制御フィールドおよび前記１つまたは複数の第２の制御フィールドは、コード、周波数、または時間において多重化される、請求項７に記載の方法。
【請求項９】
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、または、前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、請求項１に記載の方法。
【請求項１０】
前記制御識別子フィールドは、アップリンク（ＵＬ）マルチユーザ（ＭＵ）応答スケジューリングを指示し、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含み、ここにおいて、
前記制御情報フィールドは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、
請求項１に記載の方法。
【請求項１１】
前記フレームは、１つまたは複数の制御フィールドの長さが長さ要件または境界要件を満たすように前記１つまたは複数の制御フィールドに後続するパディング・フィールドをさらに備え、ここにおいて、
前記長さ要件は、３０ビットであり、前記境界要件は、オクテットの倍数である、
請求項１に記載の方法。
【請求項１２】
前記フレームは、
マルチプル局ブロック肯定応答（ＢＡ）フレーム
トリガ・フレーム、または、
ＡＩＤフィールドのその値に後続する１つまたは複数の制御フィールドの存在を指示している前記ＡＩＤフィールドの値、ここにおいて、前記ＡＩＤフィールドの前記値は、２０４７である、
を備える、請求項１に記載の方法。
【請求項１３】
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示し、ここにおいて、前記ＡＩＤごとのＴＩＤ情報フィールドは、
前記選択された数の制御フィールドに関わる複数のバイトを指示するタイプ・フィールド、または、
前記ＡＩＤごとのＴＩＤ情報フィールドの前記ＡＩＤサブフィールドによって識別されるＳＴＡのための１つまたは複数の制御フィールドの前記存在を指示する前記ＴＩＤサブフィールドの値
を備える、請求項１に記載の方法。
【請求項１４】
ワイヤレス・ネットワークにおいて通信するためのデバイスであって、
可変数の制御フィールドから、フレームに含めるための１つまたは複数の制御フィールドを選択するための手段と、
前記選択された数の制御フィールドを備える前記フレームを生成するための手段と、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信するための手段と、
を備え、ここにおいて、各制御フィールドは、
制御識別子フィールドと、
制御情報フィールドと、前記制御情報フィールドは、通信のための情報を含み、前記制御識別子フィールドは、前記情報のタイプを指示するインジケータを含む、
をさらに備え、
ここにおいて、前記制御識別子フィールドは、トリガ情報を指示し、前記制御情報フィールドは、トリガ情報フィールドを備える、または、
ここにおいて、前記制御識別子フィールドは、バッファ状態（ＢＳ）要求またはＢＳ報告を指示し、および、ここにおいて、前記制御情報フィールドは、バッファ状態情報に対する要求またはバッファ状態情報についての報告を包含する１つまたは複数のサブフィールドを備える、
デバイス。
【請求項１５】
プロセッサによって実行されるとき、前記プロセッサに、請求項１−１３のうちのいずれか一項に記載の方法を実施させるための命令を備えるコンピュータプログラム。
【発明の詳細な説明】
【技術分野】
【０００１】
[0001]  本願は一般に、ワイヤレス通信に、より具体的には、制御情報を通信するためのシステム、方法、およびデバイスに関する。
【背景技術】
【０００２】
[0002]  多くのテレコミュニケーション・システムでは、通信ネットワークが、いくつかの相互作用する空間的に離間されたデバイス間でメッセージを交換するために使用される。ネットワークは、地理的範囲にしたがって分類され得、それは、例えば、メトロポリタン・エリア、ローカル・エリア、またはパーソナル・エリアであることができる。このようなネットワークは、ワイド・エリア・ネットワーク（ＷＡＮ）、メトロポリタン・エリア・ネットワーク（ＭＡＮ）、ローカル・エリア・ネットワーク（ＬＡＮ）、またはパーソナル・エリア・ネットワーク（ＰＡＮ）としてそれぞれ指定され得る。ネットワークはまた、さまざまなネットワーク・ノードおよびデバイスを相互接続するために使用される交換（switching）／ルーティングの技術（例えば、回線交換対パケット交換）、送信のために用いられる物理媒体のタイプ（例えば、有線対無線）、および使用される通信プロトコルのセット（例えば、インターネット・プロトコル・スイート、ＳＯＮＥＴ（同期型光ネットワーキング）、イーサネット（登録商標）など）により異なる。
【０００３】
[0003]  ワイヤレス・ネットワークは、しばしば、ネットワーク要素がモバイルであり、したがって動的接続性のニーズを有するとき、またはネットワーク・アーキテクチャが、固定式ではなく、アドホックのトポロジにおいて形成される場合に、好まれる。ワイヤレス・ネットワークは、無線、マイクロ波、赤外線、光（optical）などの周波数帯における電磁波を使用して、無誘導伝搬モード（unguided propagation mode）における無形物理媒体を用いる。ワイヤレス・ネットワークは、固定のワイヤード・ネットワークと比較すると、迅速なフィールド展開およびユーザの移動性を有利に促進する。
【０００４】
[0004]  ワイヤレス・ネットワークにおけるデバイスは、互いの間で情報を送信／受信し得る。情報は、パケットを備え得、それは、いくつかの態様では、データ・ユニットと呼ばれ得る。いくつかの態様では、デバイスは、デバイス間の通信をより良好に促進するために、制御情報を送信し得る。しかしながら、いくつかの態様では、このような情報は、オーバーヘッドを増加させて効率を低減させ得る。したがって、デバイス間でこのような情報を通信するための改良された方法およびデバイスが、必要である。
【発明の概要】
【０００５】
[0005]  本書で議論されるシステム、方法、デバイス、およびコンピュータ・プログラム製品は、各々いくつかの態様を有し、それらのうちのいずれも、その望ましい属性を単独で担うものではない。後に続く特許請求の範囲によって表されるような本発明の範囲を限定することなく、いくつかの特徴が下記に簡潔に説明される。この説明を考慮した後、特に「発明を実施するための形態」と題するセクションを読んだ後には、どのように本発明の有利な特徴が、ワイヤレス通信媒体の有効な使用を可能にするかが理解されるであろう。
【０００６】
[0006］  一態様では、ワイヤレス通信の方法が開示される。方法は、可変数の制御フィールドから、フレームに含めるための１つまたは複数の制御フィールドを選択することを含む。方法はさらに、選択された数の制御フィールドを備えるフレームを生成することを含み、各制御フィールドは、制御フィールドの終端を備え、制御フィールドの終端は、フレームにおける別の制御フィールドの存在、または選択された数の制御フィールドの終端を指示するインジケータを記憶する。方法はさらに、フレームを送信することを含む。
【０００７】
[0007］  別の態様では、ワイヤレス・ネットワークにおいて通信するためのワイヤレス・デバイスが提供される。ワイヤレス・デバイスは、フレームに含めるための１つまたは複数の制御フィールドを、可変数の制御フィールドから、選択するように構成されたプロセッサを含み、このプロセッサは、選択された数の制御フィールドを備えるフレームを生成するようにさらに構成されており、各制御フィールドは、制御フィールドの終端を備え、制御フィールドの終端は、フレームにおける別の制御フィールドの存在、または選択された数の制御フィールドの終端を指示するインジケータを記憶する。ワイヤレス・デバイスはさらに、フレームを送信するように構成されている送信機を含む。
【０００８】
[0008］  本開示のいくつかの態様は、ワイヤレス・ネットワークにおいて通信するためのワイヤレス・デバイスに関し、提供される。ワイヤレス・デバイスは、可変数の制御フィールドから、フレームに含めるための１つまたは複数のフィールドを選択するための手段を含む。ワイヤレス・デバイスはさらに、選択された数の制御フィールドを備えるフレームを生成するための手段を含み、各制御フィールドは、制御フィールドの終端を備え、制御フィールドの終端は、フレームにおける別の制御フィールドの存在、または選択された数の制御フィールドの終端を指示するインジケータを記憶する。ワイヤレス・デバイスはさらに、フレームを送信するための手段を含む。
【０００９】
[0009］  本開示の別の態様は、可変数の制御フィールドから、フレームに含めるための１つまたは複数の制御フィールドを選択することを含む方法を実施するようにワイヤレス通信デバイスに指示する実行可能プログラム命令を記憶する非一時的コンピュータ記憶装置に関する。方法はさらに、フレームを送信することを含む。
【図面の簡単な説明】
【００１０】
【図１】[0010］  図１は、本開示の態様が用いられ得るワイヤレス通信システムの例を例示する。
【図２】[0011］  図２は、ＭＩＭＯシステムにおける、アクセス・ポイント１１０と２つのユーザ端末１２０ｍおよび１２０ｘとのブロック図を例示する。
【図３】[0012]  図３は、ワイヤレス通信システム内で用いられ得るワイヤレス・デバイスにおいて使用され得るさまざまなコンポーネントを例示する。
【図４】[0013]  図４は、例としての物理レイヤ・コンバージェンス・プロシージャ（ＰＬＣＰ）プロトコル・データ・ユニット（ＰＰＤＵ）フレームの図を示す。
【図５】[0014]  図５は、媒体アクセス制御（ＭＡＣ）フレームの図を示す。
【図６】[0015]  図６は、高効率（ＨＥ）制御フィールドの例としての実施形態を例示する図である。
【図７Ａ】[0016]  図７Ａは、複数のＨＥ制御フィールドを備えるＨＥ制御フィールドを備える、例としてのＭＡＣフレームの図である。
【図７Ｂ】[0017]  図７Ｂは、複数のＨＥ制御フィールドを備えるＨＥ制御フィールドを備える、別の例としてのＭＡＣフレームの図である。
【図８Ａ】[0018]  図８Ａは、ＨＥ制御フィールドの制御ＩＤフィールドの例としての値のチャートである。
【図８Ｂ】[0019]  図８Ｂは、略式のＨＥ制御フィールドの制御ＩＤフィールドの例としての値のチャートである。
【図９】[0020]  図９は、制御ＩＤフィールドがブロック肯定応答要求（ＢＡＲ）またはブロック肯定応答（ＢＡ）情報を指示する場合の、ＨＥ制御フィールドの制御情報フィールド・フォーマットの図である。
【図１０】[0021]  図１０は、ワイヤレス通信システム１００における例としてのフレーム交換を示す時系列図である。
【図１１】[0022]  図１１は、制御ＩＤフィールドがチャネル品質情報（ＣＱＩ）または変調および符号化スキーム（ＭＣＳ）フィードバック情報を指示する場合の、ＨＥ制御フィールドの制御情報フィールド・フォーマットの図である。
【図１２】[0023]  図１２は、制御ＩＤフィールドがエンハンスドＰＳポール（ｅＰＳポール）情報を指示する場合の、制御情報フィールド・フォーマットの図である。
【図１３】[0024]  図１３は、制御ＩＤフィールドがＣＲＣ情報を指示する場合の、制御情報フィールド・フォーマットの図である。
【図１４】[0025]  図１４は、制御ＩＤフィールドがサービス品質（ＱｏＳ）情報を指示する場合の、制御情報フィールド・フォーマットの図である。
【図１５】[0026]  図１５は、制御ＩＤフィールドがトリガ情報を指示する場合の、制御情報フィールド・フォーマットの図である。
【図１６】[0027]  図１６は、ワイヤレス通信システム１００における別の例としてのフレーム交換を示す時系列図である。
【図１７Ａ】[0028]  図１７Ａは、例としてのＰＰＤＵフォーマットの図である。
【図１７Ｂ】[0029]  図１７Ｂは、ＰＰＤＵの物理レイヤ（ＰＨＹ）ヘッダのＳＩＧ−Ｂフィールドに含まれるＨＥ制御フィールドの図である。
【図１８】[0030]  図１８は、複数のＡ−ＭＰＤＵサブフレームを含むＡ−ＭＰＤＵの図である。
【図１９】[0031]  図１９は、本開示のさまざまな態様にしたがった、ワイヤレス通信のための例としての方法のフロー図である。
【図２０】[0032]  図２０は、制御情報フィールドおよび制御ＩＤフィールドの他の例としての値のチャートである。
【図２１Ａ】[0033]  図２１Ａは、一実施形態にしたがった、制御情報フィールドの例としてのフォーマットの図である。
【図２１Ｂ】[0034]  図２１Ｂは、一実施形態にしたがった、制御情報フィールドの例としてのフォーマットの図である。
【図２２】[0035]  図２２は、一実施形態にしたがった、制御情報フィールドおよび制御ＩＤフィールドの例としてのフォーマットの図である。
【図２３】[0036]  図２３は、一実施形態にしたがった、制御情報フィールドの例としてのフォーマットの図である。
【図２４】[0037]  図２４は、肯定応答（ＡＣＫ）メッセージを含むデバイス間の例としてのフレーム交換である。
【図２５】[0038]  図２５は、ブロック肯定応答要求（ＢＡＲ）メッセージを含むデバイス間の例としてのフレーム交換である。
【図２６】[0039]  図２６は、一実施形態にしたがった、ブロック肯定応答（ＢＡ）フレームの例としてのフォーマットの図である。
【図２７】[0040]  図２７は、一実施形態にしたがった、ＢＡフレームの別の例としてのフォーマットの図である。
【発明を実施するための形態】
【００１１】
[0041]  新規なシステム、装置、および方法のさまざまな態様が、添付の図面を参照して以下により十分に説明される。しかしながら、開示される本教示は、多くの異なる形態で具現化され得、本開示全体を通して提示される任意の特定の構造または機能に限定されるものとして解釈されるべきではない。むしろ、これらの態様は、本開示を徹底的かつ完全なものとし、本開示の範囲を当業者に十分に伝達するように、提供される。本書での教示に基づいて、当業者は、本開示の範囲が、本発明のその他任意の態様と組み合わされてインプリメントされようと、あるいは独立してインプリメントされようと、ここに開示される新規なシステム、装置、および方法の任意の態様をカバーするように意図されていることを理解すべきである。例えば、本書で説明される任意の数の態様を使用して、装置がインプリメントされ得、または方法が実施され得る。加えて、本発明の範囲は、本書で説明される本発明のさまざまな態様に加えて、またはそれ以外の、他の構造、機能、または構造と機能を使用して実施されるこのような装置または方法をカバーすることが意図される。本書で開示される任意の態様が、請求項の１つまたは複数の要素によって具現化され得ることが理解されるべきである。
【００１２】
[0042]  特定の態様が本書で説明されるが、これらの態様の多くの変形および置換が、本開示の範囲内に含まれる。好ましい態様のいくつかの利益および利点が記述されるが、本開示の範囲は、特定の利益、使用法、または目的に限定されることが意図されたものではない。むしろ、本開示の態様は、異なるワイヤレス技術、システム構成、ネットワーク、および送信プロトコルに幅広く適用可能であることが意図されており、そのうちのいくつかは、図面および好ましい態様の下記の説明において例として例示される。詳細な説明および図面は単に、限定というよりはむしろ本開示の例示であり、本開示の範囲は、添付された特許請求の範囲およびそれらの同等物によって定義されている。
【００１３】
[0043]  ワイヤレス・ネットワーク技術は、ワイヤレス・ローカル・エリア・ネットワーク（ＷＬＡＮ）のさまざまなタイプを含み得る。ＷＬＡＮは、広く使用されるネットワーキング・プロトコルを用いて、近くのデバイスを共に相互接続するために使用され得る。本書で説明されるさまざまな態様は、Ｗｉｆｉ、またはより一般的には、ワイヤレス・プロトコルのＩＥＥＥ８０２．１１ファミリの任意のメンバーのような、任意の通信規格に適用され得る。
【００１４】
[0044]  いくつかの態様において、ワイヤレス信号は、直交周波数分割多重化（ＯＦＤＭ）、直接シーケンス・スペクトル拡散（ＤＳＳＳ：direct-sequence spread spectrum）通信、ＯＦＤＭおよびＤＳＳＳ通信の組み合わせ、または他のスキームを使用して、８０２．１１プロトコルにしたがって送信され得る。
【００１５】
[0045]  いくつかのインプリメンテーションにおいて、ＷＬＡＮは、ワイヤレス・ネットワークにアクセスするコンポーネントであるさまざまなデバイスを含む。例えば、アクセス・ポイント（「ＡＰ」）と（局とも呼ばれ、一般的に「ＳＴＡ」として知られている）クライアントとの２つのタイプのデバイスが存在し得る。一般に、ＡＰは、ＷＬＡＮのためのハブまたは基地局としての役割をし、ＳＴＡは、ＷＬＡＮのユーザとしての役割をする。例えば、ＳＴＡは、ラップトップ・コンピュータ、携帯情報端末（ＰＤＡ）、モバイル電話などであり得る。例において、ＳＴＡは、インターネットにまたは他のワイド・エリア・ネットワークに対する一般的な接続性を取得するためにワイヤレス・リンクに準拠したＷｉＦｉ(例えば、ＩＥＥＥ８０２．１１プロトコル)を介してＡＰに接続する。いくつかのインプリメンテーションにおいて、ＳＴＡは、ＡＰとしても使用され得る。
【００１６】
[0046]  アクセス・ポイント（「ＡＰ」）はまた、ノードＢ、無線ネットワーク・コントローラ（「ＲＮＣ」）、ｅノードＢ、基地局コントローラ（「ＢＳＣ」）、ベース・トランシーバ局（「ＢＴＳ」）、基地局（「ＢＳ」）、トランシーバ機能（「ＴＦ」）、無線ルータ、無線トランシーバ、または何らかの他の用語を備え、それらとしてインプリメントされ、またはそれらとして知られ得る。
【００１７】
[0047]  局「ＳＴＡ」はまた、アクセス端末（「ＡＴ」）、加入者局、加入者ユニット、モバイル局、遠隔局、遠隔端末、ユーザ端末、ユーザ・エージェント、ユーザ・デバイス、ユーザ機器、または何らかの他の用語を備え、それらとしてインプリメントされ、またはそれらとして知られ得る。いくつかのインプリメンテーションにおいて、アクセス端末は、セルラ電話、コードレス電話、セッション開始プロトコル（「ＳＩＰ」）電話、ワイヤレス・ローカル・ループ（「ＷＬＬ」）局、パーソナル・デジタル・アシスタント（「ＰＤＡ」）、ワイヤレス接続能力を有するハンドヘルド・デバイス、またはワイヤレス・モデムに接続された何らかの他の適切な処理デバイスを備え得る。したがって、本書において教示される１つまたは複数の態様は、電話（例えば、セルラ電話またはスマートフォン）、コンピュータ（例えば、ラップトップ）、ポータブル通信デバイス、ヘッドセット、ポータブル計算デバイス（例えば、パーソナル・データ・アシスタント）、エンターテインメント・デバイス（例えば、音楽または映像デバイス、または衛星ラジオ）、ゲーミング・デバイスまたはシステム、全地球測位システム・デバイス、またはワイヤレス媒体を介して通信するように構成された任意の他の適切なデバイス内に組み込まれ得る。
【００１８】
[0048]  図１は、アクセス・ポイントとユーザ端末とを有する多元接続多入力多出力（ＭＩＭＯ）システム１００を示す図である。簡潔にするために、図１には１つのアクセス・ポイント１１０のみが示されている。アクセス・ポイントは、一般に、ユーザ端末と通信する固定局であり、また、基地局と、または何らかの他の専門用語を使用して、呼ばれ得る。ユーザ端末またはＳＴＡは、固定式または移動式であり得、移動局、またはワイヤレス・デバイスとも呼ばれ得、または何らかの他の専門用語を使用して呼ばれ得る。アクセス・ポイント１１０は、ダウンリンクおよびアップリンク上で、任意の所与の瞬間に１つまたは複数のユーザ端末１２０と通信し得る。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピアツーピアで通信し得る。システム・コントローラ１３０は、アクセス・ポイントに結合し、アクセス・ポイントのための調整および制御を提供する。
【００１９】
[0049]  以下の開示の一部は、特定の態様では、空間分割多元接続（ＳＤＭＡ）を介して通信することが可能であるユーザ端末１２０を説明するが、ユーザ端末１２０はまた、ＳＤＭＡをサポートしないいくつかのユーザ端末を含み得る。かくして、そのような態様では、ＡＰ１１０は、ＳＤＭＡユーザ端末と非ＳＤＭＡユーザ端末の両方と通信するように構成され得る。この手法は、便宜上、ＳＤＭＡをサポートしないより古いバージョンのユーザ端末（「レガシ」局）が企業で展開され続けることを可能にし、それらの耐用年数を延ばす一方で、より新しいＳＤＭＡユーザ端末が、適切であると判断される場合、導入されることを可能にし得る。
【００２０】
[0050]  システム１００は、ダウンリンクおよびアップリンク上でのデータ送信のために、複数の送信アンテナおよび複数の受信アンテナを用いる。アクセス・ポイント１１０には、Ｎａｐ個のアンテナが装備され、ダウンリンク送信のための多入力（ＭＩ）と、アップリンク送信のための多出力（ＭＯ）とを表す。選択されたＫ個のユーザ端末１２０のセットは、集合的にダウンリンク送信のための多出力と、アップリンク送信のための多入力とを表す。純粋なＳＤＭＡでは、Ｋ個のユーザ端末に対するデータ・シンボル・ストリームが、何らかの手段により、コード、周波数、または、時間で多重化されていない場合に、Ｎａｐ≦Ｋ≦１を有することが望ましい。ＴＤＭＡ技術、ＣＤＭＡを用いた異なるコードチャネル、ＯＦＤＭを用いて互いに素な（disjoint）サブバンドのセット、などを使用して、データ・シンボル・ストリームが多重化されることができる場合に、Ｋは、Ｎａｐよりも大きくなり得る。各選択されたユーザ端末は、アクセス・ポイントにユーザ固有のデータを送信し、および／またはアクセス・ポイントからユーザ固有のデータを受信し得る。一般に、各選択されたユーザ端末には、１つまたは複数のアンテナ（すなわち、Ｎｕｔ≧１）が装備され得る。Ｋ個の選択されたユーザ端末は、同じ数のアンテナを有することができ、あるいは１つまたは複数のユーザ端末は、異なる数のアンテナを有し得る。
【００２１】
[0051]  ＳＤＭＡシステム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一のキャリアまたは複数のキャリアを利用し得る。各ユーザ端末には、（例えば、コストを低く抑えるために）単一のアンテナが、または（例えば、追加のコストがサポートされることができる場合には）複数のアンテナが装備され得る。ユーザ端末１２０が、送信／受信を異なるタイム・スロットに分けることによって同じ周波数チャネルを共有し、ここにおいて各タイム・スロットは異なるユーザ端末１２０に割り当てられ得る場合、システム１００はまた、ＴＤＭＡシステムであり得る。
【００２２】
[0052]  図２は、ＭＩＭＯシステム１００における、アクセス・ポイント１１０と、２つのユーザ端末１２０ｍおよび１２０ｘとのブロック図を示す。アクセス・ポイント１１０には、Ｎｔ個のアンテナ２２４ａ乃至２２４ａｐが装備されている。ユーザ端末１２０ｍには、Ｎｕｔ，ｍ個のアンテナ２５２ｍａ乃至２５２ｍｕが装備されており、ユーザ端末１２０ｘには、Ｎｕｔ,ｘ個のアンテナ２５２ｘａ乃至２５２ｘｕが装備されている。アクセス・ポイント１１０は、ダウンリンクでは送信エンティティであり、アップリンクでは受信エンティティである。各ユーザ端末１２０は、アップリンクでは送信エンティティであり、ダウンリンクでは受信エンティティである。本書で使用される場合、「送信エンティティ」は、ワイヤレス・チャネルを介してデータを送信することが可能な、独立して動作する装置またはデバイスであり、「受信エンティティ」は、ワイヤレス・チャネルを介してデータを受信することが可能な、独立して動作する装置またはデバイスである。以下の説明では、添字「ｄｎ」はダウンリンクを示し、添字「ｕｐ」はアップリンクを示し、Ｎｕｐ個のユーザ端末はアップリンク上での同時送信のために選択され、Ｎｄｎ個のユーザ端末はダウンリンク上での同時送信のために選択される。ＮｕｐはＮｄｎに等しいかまたは等しくない場合があり、ＮｕｐおよびＮｄｎは静的値（static value）であるかまたは各スケジューリング間隔で変化し得る。ビーム・ステアリングまたは他の何らかの空間処理技術が、アクセス・ポイント１１０および／またはユーザ端末１２０において使用され得る。
【００２３】
[0053]  アップリンク上では、アップリンク送信のために選択された各ユーザ端末１２０において、ＴＸデータ・プロセッサ２８８が、データ・ソース２８６からトラヒック・データを受信し、コントローラ２８０から制御データを受信する。ＴＸデータ・プロセッサ２８８は、ユーザ端末のために選択されたレートに関連付けられた符号化および変調スキームに基づいて、そのユーザ端末のためのトラヒック・データを処理（例えば、コード化、インターリーブ、および変調）し、データ・シンボル・ストリームを提供する。ＴＸ空間プロセッサ２９０が、そのデータ・シンボル・ストリームに空間処理を実施し、Ｎｕｔ，ｍ個のアンテナのためのＮｕｔ，ｍ個の送信シンボル・ストリームを提供する。各送信機ユニット（ＴＭＴＲ）２５４が、それぞれの送信シンボル・ストリームを受信および処理（例えば、アナログ変換、増幅、フィルタリング、周波数アップコンバート）して、アップリンク信号を生成する。Ｎｕｔ，ｍ個の送信機ユニット２５４は、例えば、アクセス・ポイント１１０に送信するための、Ｎｕｔ，ｍ個のアンテナ２５２からの送信のためにＮｕｔ，ｍ個のアップリンク信号を提供する。
【００２４】
[0054]  Ｎｕｐ個のユーザ端末は、アップリンク上での同時送信のためにスケジューリングされ得る。これらのユーザ端末の各々は、そのそれぞれのデータ・シンボル・ストリーム上で空間処理を実施し、その送信シンボル・ストリームのそれぞれのセットをアップリンク上でアクセス・ポイント１１０に送信し得る。
【００２５】
[0055]  アクセス・ポイント１１０において、Ｎｕｐ個のアンテナ２２４ａ乃至２２４ａｐは、アップリンク上で送信するＮｕｐ個のすべてのユーザ端末からアップリンク信号を受信する。各アンテナ２２４は、それぞれの受信機ユニット（ＲＣＶＲ）２２２に受信信号を提供する。各受信機ユニット２２２は、送信機ユニット２５４によって実施された処理と補完的な処理を実施し、受信シンボル・ストリームを提供する。ＲＸ空間プロセッサ２４０は、Ｎｕｐ個の受信機ユニット２２２からのＮｕｐ個の受信シンボル・ストリームに対して受信機空間処理を実施し、Ｎｕｐ個の復元されたアップリンク・データ・シンボル・ストリームを提供する。チャネル相関マトリクス逆変換（ＣＣＭＩ）、最小平均二乗誤差（ＭＭＳＥ）、ソフト干渉消去（ＳＩＣ）、または、何らかの他の技術にしたがって、受信機空間処理が実施され得る。復元された各々のアップリンク・データ・シンボル・ストリームは、それぞれのユーザ端末によって送信されたデータ・シンボル・ストリームの推定値である。ＲＸデータ・プロセッサ２４２は、各復元されたアップリンク・データ・シンボル・ストリームを、そのストリームに使用されたレートによって処理（例えば、復調、デインターリーブ、復号）して、復号されたデータを取得する。各ユーザ端末のための復号されたデータが、記憶のためにデータ・シンク２４４に、および／または、さらなる処理のためにコントローラ２３０に、提供され得る。
【００２６】
[0056]  ダウンリンク上では、アクセス・ポイント１１０において、ＴＸデータ・プロセッサ２１０が、ダウンリンク送信のためにスケジューリングされたＮｄｎ個のユーザ端末のために、データ・ソース２０８からトラヒック・データを受信し、コントローラ２３０から制御データを受信し、場合によってはスケジューラ２３４から他のデータを受信する。さまざまなタイプのデータが、異なる伝送チャネル上で送られ得る。ＴＸデータ・プロセッサ２１０は、各ユーザ端末のためのトラヒック・データを、そのユーザ端末のために選択されたレートに基づいて処理（例えば、コード化、インターリーブ、および変調）する。ＴＸデータ・プロセッサ２１０は、Ｎｄｎ個のユーザ端末にＮｄｎ個のダウンリンク・データ・シンボル・ストリームを提供する。ＴＸ空間プロセッサ２２０は、Ｎｄｎ個のダウンリンク・データ・シンボル・ストリーム上で（プリコーディングまたはビームフォーミングのような）空間処理を実施し、Ｎｕｐ個のアンテナにＮｕｐ個の送信シンボル・ストリームを提供する。各送信機ユニット２２２は、それぞれの送信シンボル・ストリームを受信および処理して、ダウンリンク信号を生成する。Ｎｕｐ個の送信機ユニット２２２は、例えばユーザ端末１２０に送信するために、Ｎｕｐ個のアンテナ２２４からの送信のためにＮｕｐ個のダウンリンク信号を提供し得る。
【００２７】
[0057]  各ユーザ端末１２０において、Ｎｕｔ，ｍ個のアンテナ２５２が、アクセス・ポイント１１０からＮｕｐ個のダウンリンク信号を受信する。各受信機ユニット２５４は、関連付けられたアンテナ２５２からの受信信号を処理し、受信シンボル・ストリームを提供する。ＲＸ空間プロセッサ２６０は、Ｎｕｔ，ｍ個の受信機ユニット２５４からのＮｕｔ，ｍ個の受信シンボル・ストリームに受信機空間処理を実施し、そのユーザ端末１２０のための復元されたダウンリンク・データ・シンボル・ストリームを提供する。受信機空間処理は、ＣＣＭＩ、ＭＭＳＥ、または何らかの他の技術にしたがって実施され得る。ＲＸデータ・プロセッサ２７０は、ユーザ端末ための復号されたデータを取得するために、復元されたダウンリンク・データ・シンボル・ストリームを処理（例えば、復調、デインターリーブ、および復号）する。
【００２８】
[0058]  各ユーザ端末１２０において、チャネル推定器２７８は、ダウンリンク・チャネル応答を推定し、ダウンリンク・チャネル推定値を提供し、それは、チャネル利得推定値、ＳＮＲ推定値、雑音分散などを含み得る。同様に、チャネル推定器２２８は、アップリンク・チャネル応答を推定し、アップリンク・チャネル推定値を提供する。各ユーザ端末のためのコントローラ２８０は、典型的に、そのユーザ端末のためのダウンリンク・チャネル応答マトリクスＨｄｎ，ｍに基づいて、ユーザ端末のための空間フィルタ・マトリクスを、導出する。コントローラ２３０は、有効アップリンク・チャネル応答マトリクスＨup,effに基づいて、アクセス・ポイントのための空間フィルタ・マトリクスを導出する。各ユーザ端末のためのコントローラ２８０は、フィードバック情報（例えば、ダウンリンクおよび／またはアップリンク固有ベクトル、固有値、ＳＮＲ推定値など）をアクセス・ポイント１１０に送り得る。コントローラ２３０および２８０はまた、それぞれ、アクセス・ポイント１１０およびユーザ端末１２０における、さまざまな処理ユニットの動作を制御し得る。
【００２９】
[0059]  図３は、ワイヤレス通信システム１００内で用いられ得るワイヤレス・デバイス３０２において利用され得るさまざまなコンポーネントを例示する。ワイヤレス・デバイス３０２は、本書で説明されるさまざまな方法をインプリメントするように構成され得るデバイスの例である。ワイヤレス・デバイス３０２は、アクセス・ポイント１１０またはユーザ端末１２０をインプリメントし得る。
【００３０】
[0060]  ワイヤレス・デバイス３０２は、ワイヤレス・デバイス３０２の動作を制御するプロセッサ３０４を含み得る。プロセッサ３０４はまた、中央処理装置（ＣＰＵ）と呼ばれ得る。読み取り専用メモリ（ＲＯＭ）とランダム・アクセス・メモリ（ＲＡＭ）の両方を含み得るメモリ３０６は、プロセッサ３０４に命令およびデータを提供する。メモリ３０６の一部はまた、不揮発性ランダム・アクセス・メモリ（ＮＶＲＡＭ）を含み得る。プロセッサ３０４は、メモリ３０６内に記憶されているプログラム命令に基づいて、論理および演算動作を実施し得る。メモリ３６０における命令は、本書で説明される方法をインプリメントするように実行可能であり得る。
【００３１】
[0061]  プロセッサ３０４は、１つまたは複数のプロセッサでインプリメントされた処理システムのコンポーネントであり得るか、それを備え得る。１つまたは複数のプロセッサは、汎用マイクロプロセッサ、マイクロコントローラ、デジタル・シグナル・プロセッサ（ＤＳＰ）、フィールド・プログラマブル・ゲートアレイ（ＦＰＧＡ）、プログラマブル論理デバイス（ＰＬＤ）、コントローラ、ステート・マシン、ゲート論理、離散ハードウェア・コンポーネント、専用ハードウェア有限ステート・マシン、または計算あるいは情報の他の操作を実施することができる任意の他の適切なエンティティの任意の組み合わせでインプリメントされ得る。
【００３２】
[0062]  処理システムはまた、ソフトウェアを記憶するための機械可読媒体を含み得る。ソフトウェアは、ソフトウェア、ファームウェア、ミドルウェア、マイクロコード、ハードウェア記述言語、またはその他で呼ばれるか否かに関わらず、命令のいずれのタイプも意味するように広く解釈されるべきである。命令は、（例えば、ソース・コード・フォーマット中に、２進コード・フォーマット中に、実行可能コード・フォーマット中に、またはコードの任意の他の適切なフォーマット中に）コードを含み得る。命令は、１つまたは複数のプロセッサによって実行されるとき、処理システムに、本書に説明されるさまざまな機能を実施させる。
【００３３】
[0063]  ワイヤレス・デバイス３０２はまた、ワイヤレス・デバイス３０２と遠隔ロケーションとの間でのデータの送信および受信を可能にするために、送信機３１０および受信機３１２を含み得るハウジング３０８を含み得る。送信機３１０および受信機３１２は、トランシーバ３１４に組み合わされ得る。単数のまたは複数のトランシーバ・アンテナ３１６が、ハウジング３０８に取り付けられ、トランシーバ３１４に電気的に結合され得る。ワイヤレス・デバイス３０２はまた、（図示されていない）複数の送信機と、複数の受信機と、複数のトランシーバとを含み得る。
【００３４】
[0064]  ワイヤレス・デバイス３０２はまた、トランシーバ３１４によって受信された信号のレベルを検出および定量化するために使用され得る信号検出器３１８を含み得る。信号検出器３１８は、総エネルギー、シンボルごとのサブキャリア当たりのエネルギー、パワー・スペクトル密度、および他の信号のような信号を検出し得る。ワイヤレス・デバイス３０２はまた、信号を処理する際に使用するためのデジタル・シグナル・プロセッサ（ＤＳＰ）３２０を含み得る。
【００３５】
[0065]  ワイヤレス・デバイス３０２のさまざまなコンポーネントは、バス・システム３２２によって共に結合され得、それは、データ・バスに加えて、電力バス、制御信号バス、およびステータス信号バスを含み得る。
【００３６】
[0066]  いくつかの態様では、広範囲の制御情報が、８０２．１１プロトコルを使用して複数のＳＴＡ間および／またはＡＰ間で交換され得る。例えば、ＳＴＡは、ワイヤレス・デバイス間のより有効な通信を促進するために、バッファ状態（ＢＳ）フィードバック、チャネル品質情報フィードバック、リソース割り当て、パワー・セーブ（ＰＳ）フィードバックなどを交換し得る。この制御情報は、ＳＴＡ間および／またはＡＰ間で交換されたフレーム内のどこかでシグナリングされる必要があり得る。いくつかの態様では、さまざまなコンテナ（例えば、フレーム、要素、フィールド）中にこの情報を含むことが、設計の複雑さを高め得る。さらに、（例えば、制御、管理、データなどのような）複数のタイプのフレームのアグリゲーションにこの制御情報を含むことが、媒体アクセス制御（ＭＡＣ）ＭＡＣオーバーヘッドを増大させ得る。したがって、このような制御情報をより良好に交換するために、ＭＡＣフレームにおいて新しいタイプの制御フィールドを規定することが、有益であり得る。このような新しいタイプの制御フィールドにおいて、制御フィールドは、１つまたは複数のＭＡＣフレームでさまざまな制御情報を伝達する１つまたは複数の制御フィールドを備え得る。さらに、その新しいタイプの制御フィールドは、１つまたは複数の制御フィールドの終端を指示し得、各制御フレームにおける可変の量の情報を含むように生成され得る。
【００３７】
[0067]  図４は、物理レイヤ・コンバージェンス・プロシージャ（ＰＬＣＰ）プロトコル・データ・ユニット（ＰＰＤＵ）フレーム４００の例としての実施形態を例示する図である。図４に示されているように、ＰＰＤＵフレーム４００は、ＭＡＣヘッダ・フィールド４５０、ペイロード・データ・フィールド４６０、およびフレーム・チェック・シーケンス（ＦＣＳ）フィールド４７０を備えるＰＬＣＰサービス・データ・ユニット（ＰＳＤＵ）４８０および物理レイヤ（ＰＨＹ）ヘッダ４１５を備える。ＰＳＤＵ４８０は、ＰＰＤＵ４００のペイロード部分４８０とも呼ばれ得る。ＰＨＹヘッダ４１５は、次のＯＦＤＭ信号を取得し、復調器を同期化およびトレーニングする（train）ために、使用され得、ペイロード部分４８０の伝達および復調に役立ち得る。
【００３８】
[0068]  図５は、媒体アクセス制御（ＭＡＣ）フレーム５００の例としての実施形態を例示する図である。いくつかの実施形態では、ＭＡＣフレーム５００は、媒体アクセス制御プロトコル・データ・ユニット（ＭＰＤＵ）フレームを備え得る。いくつかの実施形態では、ＭＡＣフレーム５００は、図４に関連して事前に説明されたように、ペイロード部分４８０に対応し得る。示されているように、ＭＡＣフレーム５００は、１２個の異なるフィールドを含む、フレーム制御（ｆｃ）フィールド５１０、持続時間／識別（ｄｕｒ）フィールド５２５、受信機アドレス（ａ１）フィールド５３０、送信機アドレス（ａ２）フィールド５３５、宛先アドレス（ａ３）フィールド５４０、シーケンス制御（ｓｃ）フィールド５４５、第４アドレス（ａ４）フィールド５５０、サービス品質（ＱｏＳ）制御（ｑｃ）フィールド５５５、ハイ・スループット（ＨＴ：high throughput）／超ハイ・スループット（ＶＨＴ：very high throughput）制御フィールド５６０、フレーム体（５６８）、およびフレーム・チェック・シーケンス（ＦＣＳ）フィールド４７０。これらフィールド５１０乃至５６５のうちのいくつかまたはすべてが、図４のＭＡＣヘッダ４５０を構成し得る。いくつかの実施形態では、ＭＡＣフレーム５００のフレーム制御フィールド５１０のプロトコル・バージョン・フィールドは、０、または１、または１より大きい可能性がある。
【００３９】
[0069]  図６は、高効率（ＨＥ）制御フィールド６６０の例としての実施形態を例示する図である。図６の最上部は、ハイ・スループット（ＨＴ）制御フィールド６００の例としてのフォーマットを示す。いくつかの実施形態では、ＨＴ制御フィールドは、図５のＨＴ／ＶＨＴ制御フィールド５６０に対応し得る。図６に示されているように、ＨＴ制御フィールド６００は、超ハイ・スループット（ＶＨＴ）フィールド６０１、ＨＴ制御中間フィールド６０２、アクセス・カテゴリ（ＡＣ）制約フィールド６０３、および逆方向グラント（ＲＤＧ）／より多くの物理レイヤ・コンバージェンス・プロシージャ・プロトコル・データ・ユニット（ＰＰＤＵ）フィールド６０４を備える。ＨＴ制御フィールド６００の下には、ＨＴ制御中間フィールド６０２の例としてフォーマットの拡大図がある。いくつかの態様では、ＨＴ制御中間フィールドは、リンク適応制御フィールド６１０、キャリブレーション位置フィールド６１１、キャリブレーション・シーケンス・フィールド６１２、第１のリザーブド・フィールド６１３、チャネル状態情報（ＣＳＩ）／ステアリング（steering）フィールド６１４、ＨＴヌル・データ・パケット（ＮＤＰ）告知フィールド６１５、第２のリザーブド・フィールド６１６、および優先廃棄インジケータ（ＤＥＩ：drop eligibility indicator）フィールド６１７を備え得る。
【００４０】
[0070]  図６における拡大されたＨＴ制御中間フィールド６０２の下には、ＨＴ制御中間フィールド６０２の第２の例としてフォーマット６２０の第２の拡大図がある。この実施形態では、ＨＴ制御フィールド６００のＶＨＴフィールド６０１は、ＨＴ制御フィールド６００がＨＴ制御フィールド６００のＶＨＴバリアントにおいて構成されていることを指示するために、１の値に設定される。図６に示されているように、ＨＴ制御フィールド・フォーマット６２０は、ＶＨＴフィールド６０１、リザーブド・フィールド６２１、変調および符号化スキーム（ＭＣＳ）要求（ＭＲＱ）フィールド６２２、ＭＣＳ要求シーケンス識別子（ＭＳＩ）／時空間ブロック符号化（ＳＴＢＣ）フィールド６２３、ＭＣＳフィードバック・シーケンス識別子（ＭＦＳＩ）／グループ識別子最低ビット（ＧＩＤ−Ｌ）フィールド６２４、ＭＣＳフィードバック（ＭＦＢ）フィールド６２５、ＧＩＤ最高ビット（ＧＩＤ−Ｈ）フィールド６２６、符号化タイプ・フィールド６２７、フィードバック送信機（Ｔｘ）タイプ・フィールド６２８、および未承諾（unsolicited）ＭＦＢフィールド６２９を備える。
【００４１】
[0071]  図６における第２の拡大されたＨＴ制御中間フィールド６２０の下には、ＨＥ制御フィールド６６０の例としてフォーマットの拡大図がある。この実施形態では、ＨＥ制御フィールド６６０がＨＴ制御フィールド６００のＶＨＴバリアントのＨＥバリアントとして構成されていることを指示するために、第２のフィールドまたはビットが１に設定され、ＨＴ制御フィールド６００のＶＨＴフィールド６０１は、１の値に設定される。図６に示されているように、ＨＥ制御フィールド６６０は、ＨＥインジケータ・フィールド６６１、制御識別子（ＩＤ）フィールド６６２、ＨＥ制御の終端（ＥＯＨ）フィールド６６３、および制御情報フィールド６６４を備える。いくつかの態様では、ＨＥインジケータ・フィールド６６１は、上述の第２のフィールドを備え、または、図６のリザーブド・フィールド６２１は、ＨＴ制御フィールド６００がＨＴ制御フィールド６００のＶＨＴバリアントのＨＥバリアントとして構成されるかどうかを指示する。例えば、いくつかの実施形態では、ＨＥインジケータ・フィールド６６１が０に設定される場合、ＭＡＣフレーム５００のＨＴ制御フィールドは、ＨＴ制御フィールド６００のフォーマットを備える。ＨＥインジケータ・フィールド６６１が１に設定される場合、ＭＡＣフレーム５００のＨＴ制御フィールドは、ＨＥ制御フィールド６６０を備える。制御ＩＤフィールド６６２は、制御情報フィールド６６４に含まれる情報のコンテンツ、タイプ、および／または長さの指示を備え得る。いくつかの実施形態では、制御ＩＤフィールド６６２は、１乃至６の間のビットを備え得る。ＥＯＨフィールドまたは制御の終端フィールド６６３は、ＭＡＣフレーム（例えば、図５のＭＡＣフレーム５００）において選択された数のＨＥ制御フィールド６６０の終端、またはＭＡＣフレーム５００における別のＨＥ制御フィールド６６０の存在を指示するインジケータを記憶し得る。いくつかの実施形態では、ＥＯＨフィールド６６３は、１乃至６の間のビットを備え得る。
【００４２】
[0072]  例えば、図７Ａは、複数のＨＥ制御フィールド６６０を備えるＨＥ制御フィールド６６０を備える、例としてのＭＡＣフレーム７００の図である。図７Ａは、図５のＭＡＣフレーム５００に類似し、それから適合されている。簡潔にするために、ＭＡＣフレーム５００と７００との間の違いのみが、本書では説明される。図７Ａに示されているように、ＨＥ制御フィールド６６０は、ＱｏＳ制御フィールド５５５の後に位置し、（このようなフィールドが存在する場合、）各ＨＥ制御フィールド６６０の制御情報フィールド６６４に含まれる情報の量および／またはタイプおよび／または存在するＨＥ制御フィールドの数に依存する可変の長さを備え得る。いくつかの態様では、ＨＥ制御フィールド６６０の存在は、ＱｏＳ ＭＡＣフレーム・フィールド５５５のフレーム制御（ＦＣ）フィールドの順序フィールド（order field）（すなわち、ＨＴ制御フィールドの存在を指示する同様のシグナリング）において指示される。いくつかの実施形態では、各ＨＥ制御フィールド６６０の制御情報フィールド６６４および／またはＨＥ制御フィールド６６０の長さは、２または４バイトの倍数に制限され得る。図７Ａにさらに示されるように、ＨＥ制御フィールド６６０は、０乃至ｎの範囲の数のＨＥ制御フィールド６６０を備え得、ここにおいてｎは、１より大きいかそれと同等の整数である。ＨＥ制御フィールド６６０（１−ｎ）は、図７Ａに示されているものと同じ方法で順々に連結され得る。いくつかの実施形態では、最後のｎ−１の、ＨＥ制御フィールド６６０のＨＥインジケータ・フィールド６６１およびＶＨＴフィールド６０１は、第１のＨＥ制御フィールドがこの第１のフィールドとＨＴ制御フィールドのＶＨＴバリアントおよびＨＴ制御フィールドとを区別することが単に求められ得る場合、他の情報またはシグナリングを伝達するために再利用および／またはリプロポーズされ得る。ＭＡＣフレーム７００はまた、暗号ブロック連鎖メッセージ認証コード（ＣＢＣ−ＭＡＣ：cipher-block chaining message authentication code）プロトコル（ＣＣＭＰ）ヘッダ・フィールド７６５を有するカウンタ・モード（ＣＴＲ）を備える。いくつかの実施形態では、１つまたは複数のＨＥ制御フィールドは、ＣＣＭＰ／ＧＣＭＰヘッダ・フィールドの前にあり、または（このフィールドが存在しない場合）、それらはＭＡＣフレーム（例えば、ＭＡＣフレーム５００、７００）のペイロード（例えば、フレーム体５６８）の前にある。ＭＡＣフレーム７００におけるＨＥ制御フィールド６６０に対するいくつかの非制限的な利益は、ＨＥ制御フィールド６６０フォーマットが、それが現存するＨＴ制御フィールド６００のフレキシブルなバリアントであるという点で後方互換的であり得ること、ＨＥ制御フィールド６６０フォーマットがまた本書に論じられるように将来の補正のために拡張可能であり得るという点において前方互換的であり得ること、ＨＥ制御フィールド６６０がＡ−ＭＰＤＵにおいて複数のフレームのアグリゲーションを防ぐことによってオーバーヘッドを減じ得ること、ＨＥ制御フィールド６６０が効率を向上させるためにピアＳＴＡまたはＡＰによって使用されることができる広範囲のフィードバック情報を伝達し得るという点において柔軟性を増大させ得ること、並びに、他の利益を提供すること、を含む。
【００４３】
[0073]  例としての実施形態では、ＭＡＣフレーム７００は、５個（５）の連結されたＨＥ制御フィールド６６０を備え得、ＥＯＨフィールド６６３は、別のＨＥ制御フィールド６６０の存在を指示するための第１の４個の（４）ＨＥ制御フィールドにおいて０の値に設定され得、第５すなわち最後のＨＥ制御フィールド６６０におけるＥＯＨフィールド６６３は、第５のＨＥ制御フィールド６６０がＭＡＣフレームにおける最後のＨＥ制御フィールド６６０すなわち終端であることを指示するために、１に設定され得る。
【００４４】
[0074]  図７Ｂは、複数のＨＥ制御フィールド７９５を備えるＨＥのアグリゲートされた制御（ＨＥ Ａ制御）フィールド７９５を備える、例としての略式のＭＡＣフレーム７９９の図である。図７Ｂは、図７のＭＡＣフレーム７００に類似し、それから適合されている。簡潔にするために、ＭＡＣフレーム７００と７９９との間の違いのみが、本書では説明される。図７Ｂに示されているように、ＨＥ制御フィールド７９５は、サービス識別子（ＳＩＤ）フィールド７９０の後に位置されている。ＳＩＤフィールド７９０は、図７ＡのＡ１ ５３０またはＡ２ ５３５フィールドを備え得る。図７Ｂに示されているように、ＨＥ制御フィールド７９５は、制御ＩＤフィールド７９７、リザーブ・フィールド７９８を備え、図７ＡのＨＥ制御フィールド６６０のＨＥフィールド６６１およびＶＨＴフィールド６０１を省略している。いくつかの態様では、略式のＭＡＣフレーム７９９は、他のＭＡＣフレームより小さいＭＡＣオーバーヘッド（例えば、６乃至８バイト）を有し得、それは、（Ａ−ＭＰＤＵにおいてＭＰＤＵをアグリゲートするのではなく）ＨＥ制御フィールドをアグリゲートすることに加え、ＭＡＣオーバーヘッドを減じる。いくつかの態様では、複数のＨＥ制御フィールド７９５のうちの第１のＨＥ制御フィールド７９５（例えば、図７Ｂに示されている７９５（１））は、制御ＩＤフィールド７９７において最低の制御ＩＤ値を有するＨＥ制御フィールド７９５に対応し得る。いくつかの実施形態では、次のＨＥ制御フィールド７９５は、制御ＩＤフィールド７９７の減少しない値（non-decreasing values）によって、順序付けされ得る。いくつかの態様では、複数のＨＥ制御フィールド７９５のうちの第１のＨＥ制御フィールド７９５（例えば、図７Ｂに示されている７９５（１））は、制御ＩＤフィールド７９７における０と同等の制御ＩＤ値を有するＨＥ制御フィールド７９５に対応し得る。この実施形態では、次のＨＥ制御フィールド７９５は、制御ＩＤフィールド７９７の値に基づいて順序付けされない場合がある。
【００４５】
[0075]  いくつかの態様では、パディング・フィールド（padding field）（図示されていない）が、アグリゲートされたＨＥ制御フィールド７９５の最後のＨＥ制御フィールド７９５（例えば、７９５（ｎ））に後続し得る。パディング・フィールドは、ＨＴ制御フィールド（例えばＨＴ制御フィールド６００）において伝達されるときにアグリゲートされたＨＥ制御フィールド７９５の値が特定の長さ要件（例えば３０ビット）を満たすように、含まれ得る。いくつかの態様では、いつパディングが開始するか（例えば、パディング・フィールドの位置）の指示は、アグリゲートされたＨＥ制御フィールド７９５（例えば、ＨＥ制御フィールド７９５のうちの１つまたは複数のＥＯＨフィールド６６３、またはリザーブド・フィールド７９８）のフィールドに含まれ得る。いくつかの態様では、その指示はまた、パディング・コンテンツ（例えば、０、１または他の値のシーケンス）を含み得る。他の態様では、指示がない場合があり、パディングは、０のシーケンスを備え得る。いくつかの態様では、パディングは、０のシーケンスを備え得、パディングの開始は、ＨＥ制御フィールド７９５の終端の後に（制御ＩＤ値のサイズに応じた最大の長さを有する）０のシーケンスの存在（occurrence）によって、ＨＥ制御フィールド７９５を受信するデバイスによって決定され得る。いくつかの態様では、ＨＥ制御フィールド７９５は、第１のおよびただ１つのＨＥ制御フィールド７９５である（とともに制御ＩＤフィールド７９７において０値を有する）か、制御ＩＤフィールド７９７のノン・ゼロ値を有する最後のＨＥ制御フィールド７９５である。
【００４６】
[0076]  いくつかの態様では、フレーム制御フィールド５１０におけるビットは、制御ラッパー・フォーマットが再定義されることを指示し得る。例えば、任意のリザーブド・フィールドが、制御ラッパー・フォーマットが再定義されることを指示するために使用されることができる。他の態様では、任意の制御フレームのＦＣフィールド５１０の順序ビットの使用が、それぞれの制御フレームにおけるＨＥ Ａ制御フィールド７９５の存在を指示し得る。
【００４７】
[0077]  いくつかの態様では、略式のＭＡＣフレーム７９９は、ＭＡＣヘッダ部分（図示されていない）、アグリゲートされたＨＥ制御フィールド７９５およびＦＣＳフィールド４７０を備え得る。いくつかの実施形態では、ＭＡＣヘッダ部分は、図７Ｂに示されているＳＩＤフィールド７９０およびＦＣフィールド５１０を備える。いくつかの態様では、略式のＭＡＣフレーム７９９は、ＨＥ Ａ制御フレーム７９９と呼ばれ得る。いくつかの実施形態では、ＨＥ Ａ制御フレーム７９９は、制御フレームの新しいサブタイプとして定義され得る。他の態様では、ＨＥ Ａ制御フレーム７９９は、マルチＳＴＡブロック肯定応答（ＢＡ）フレームにおいて伝達され得る。ＨＥ Ａ制御フレーム７９９を伝達するためのマルチＳＴＡ ＢＡフレームの使用は、それがＡＰ ＳＴＡと非ＡＰ ＳＴＡとの両方によって生成されることができるので、有益であり得る。さらに、マルチＳＴＡ ＢＡフレームは、ＨＥ制御情報をシグナリングする統一された方法を提供し得、ＳＴＡが、必要なとき／要求されるときにすぐに、無制限に、必要なＨＥ制御情報を送ることを可能にすることができる。ＨＥ Ａ制御フレーム７９９は、ＭＵ−ＵＬまたはＭＵ−ＤＬ送信をトリガするために使用されるトリガ・フレームにおいて伝達され得る。
【００４８】
[0078]  上述のように、制御情報フィールド６６４において情報のコンテンツ、タイプ、および／または長さは、制御ＩＤフィールド６６２自体の値、または、ＨＥ制御フィールド６６０自体に加えられ得る長さフィールドの値に依存し得る。図８Ａは、制御ＩＤフィールド６６２の例としての値のチャートであり、それらの値が制御情報フィールド６６４における情報について指示するもののチャートである。図８Ａにおいて示されるように、縦列８０１は、制御ＩＤフィールド６６２のためのさまざまな値を示し、縦列８０２は、制御情報フィールド６６４に含まれるさまざまな制御情報を、および括弧の中は制御情報フィールド６６４の例としてのサイズを示し、縦列８０３は、制御情報フィールド６６４に含まれる制御情報に関わるさまざまな説明を示す。例えば、図８Ａの横列８１０に示されるように、制御ＩＤフィールド６６２における０の値は、先行するＭＰＤＵフレームの成功した受信（ＲＸ）を指示し、制御情報フィールド６６４は、肯定応答（ＡＣＫ）情報を備え、制御ＩＤフィールド６６２における１の値は、先行するＭＰＤＵフレームの失敗した受信を指示し、制御情報フィールド６６４は、否定応答（ＮＡＣＫ）情報を備え得る。ＨＥ制御情報フィールド６６０にＡＣＫ／ＮＡＣＫを含むことのいくつかの非制限的な利益は、ＡＣＫメッセージをアグリゲートする必要性が無く、そのことがＭＡＣオーバーヘッドを減じ得ることと、ＨＥ制御フィールド６６０がＮＡＣＫメッセージのための有効なシグナリングを提供し得ることである。図８Ａで提供される値および説明は、例であり、異なる制御ＩＤフィールド６６２の値に関わる他のコンテンツおよび説明が可能である。例えば、制御ＩＤフィールド６６２はまた、ターゲット待ち時間（ＴＷＴ）に関わる情報、パワー制御シグナリング、リンク適合情報、動作モードの変化（例えば、ＲＴＳ／ＣＴＳ命令を可能にすること、ＢＳＳ動作機能性を（ベースラインＭＣＳ／ＳＳ／ＢＷなど）を減少または増加させること）、エネルギー検出情報、性能測定基準（performance metric）、協調／スケジューリング情報、基本サービス・セット（ＢＳＳ）関連のシグナリングなど、を指示し得る。
【００４９】
[0079]  図８Ｂは、図７Ｂの制御ＩＤフィールド７９７の他の例としての値のチャートであり、それらの値が制御フィールド６６４における情報について指示するもののチャートである。
【００５０】
[0080]  図８Ａの横列８１１および８１２に示されるように、制御ＩＤフィールド６６２または７９７に示される情報のタイプの別の例は、４乃至１３０の範囲またはそれより大きいバイトを備え得るＢＡ情報、および４バイトを備え得るＢＡＲ情報を含む。図９は、制御ＩＤフィールド６６２がＢＡＲまたはＢＡ情報を指示する場合の、制御情報フィールド６６４フォーマットの図である。例えば、図８Ａに関連して、制御ＩＤフィールド６６２値が２であるとき、それはＢＡＲを指示し、ＨＥ制御フィールド９６０の制御情報フィールド６６４は、ＢＡＲ制御フィールド９７１およびＢＡＲ情報フィールド９７２を備える。同様に、図７Ｂおよび８Ｂに関連して、制御ＩＤフィールド７９７が２であるとき、それはＢＡＲを指示し、ＨＥ制御フィールド９６０の制御情報フィールド６６４は、ＢＡＲ制御フィールド９７１およびＢＡＲ情報フィールド９７２を備える。図８Ａおよび８Ｂに示されているように、制御ＩＤフィールド６６２および７９７における２の値が、制御ＩＤフィールド６６２および７９７ならびに制御情報フィールド６６４が情報関連のＢＡＲを含むことを指示するのに対し、制御ＩＤフィールド６６２および７９７における他の値もまた、ＢＡＲ情報を指示することが可能である。いくつかの態様では、ＢＡＲ制御フィールド９７１は、２バイトを備え、ＢＡＲ情報フィールド９７２は、可変数のバイトを備える。別の例では、制御ＩＤフィールド６６２の値が３であるとき、それは事前に受信されたＭＰＤＵの受信状態を指示するＢＡを指示し、制御情報フィールド６６４は、ＢＡ制御フィールド９８１およびＢＡ情報フィールド９８２を備える。いくつかの態様では、ＢＡＲ制御フィールド９８１は、２バイトを備え、ＢＡＲ情報フィールド９８２は、可変数のバイトを備える。ＨＥ制御情報フィールド６６０にＢＡＲ／ＢＡを含むことのいくつかの非制限的な利益は、ＢＡＲ／ＢＡメッセージをアグリゲートする必要性が無く、そのことがＭＡＣオーバーヘッドを減じ得ることである。
【００５１】
[0081]  図１０は、ワイヤレス通信システム１００における例としてのフレーム交換１０００を示す時系列図である。図１０の実施形態では、ＡＰおよびＳＴＡ１は、（トラヒック識別子ＴＩＤ１、ＴＩＤ２を備える）２ダウンリンク（ＤＬ）ＢＡと、（ＴＩＤ３を備える）１アップリンク（ＵＬ）ＢＡとのセッションを、送信機会（ＴＸＯＰ）１０１０内で生じるように、ネゴシエートし得る。ＡＰは、ＴＩＤ２を備えるアグリゲートされたＭＰＤＵ（Ａ−ＭＰＤＵ）１００２においてＴＩＤ１（例えば、ＨＥ制御フィールド１０６２に含まれるＢＡＲ１）をＢＡに要求する。示されているように、ＳＴＡ１は、２ＢＡ、ＴＩＤ１（ＢＡＲ１）のためのＢＡ１、およびＴＩＤ３を備えるＡ−ＭＰＤＵ１００４におけるＴＩＤ２（Ａ−ＭＰＤＵ１００２）のためのＢＡ２で応答する。Ａ−ＭＰＤＵ１００４は、ＢＡ１、ＢＡ２および保護を増大させるための巡回冗長検査（ＣＲＣ）を含むＨＥ制御フィールド１０６４を備える。ＴＩＤ３を備えるＡ−ＭＰＤＵ１００４に応答して、ＡＰはＢＡ３ １００６を送信する。図示されているように、いくつかの実施形態では、ＨＥ制御フィールド１０６４のみがＣＲＣを含むのに対し、ＡＰおよび／またはＳＴＡ１は、保護を増大させるためにＨＥ制御フィールドにＣＲＣを加えることができる。例としてフレーム交換１０００に示されるＨＥ制御フィールドの使用は、約６０バイトだけＴＸＯＰ１０１０内のＭＡＣオーバーヘッドを減じ得る。これらのバイトは、制御フレームをアグリゲートすることによって誘発される単一点障害（single point of failure）を除去するために使用され得る。例えば、ＨＥ制御フィールドは、各ＭＰＤＵに加えられることができ、８ビットのＣＲＣによって保護されることができる。
【００５２】
[0082]  図８Ａの横列８１３に示されるように、制御ＩＤフィールド６６２または７９７に示される情報のタイプの別の例は、可変数のバイトを備え得るＭＣＳフィードバック情報、およびチャネル品質情報（ＣＱＩ）を含む。ＣＱＩおよびＭＣＳフィードバック情報は、チャネル品質および／またはＭＣＳに関わる情報を、互いに通信しているＳＴＡに提供し得る。例えば、通信の対象となる受信機であるＳＴＡは、送信するＳＴＡがＭＣＳ、チャネル、空間ストリーム、または送信のための他の送信パラメータの適切な選択をし得るように、好ましいＭＣＳレート、またはチャネル品質状態におけるアップデートを、送信するＳＴＡ／ＡＰにシグナリングすることを要求し得る。図１１は、制御ＩＤフィールド６６２がＣＱＩまたはＭＣＳフィードバック情報を指示する場合の、ＨＥ制御フィールド１１６０の制御情報フィールド６６４フォーマットの図である。例えば、図８Ａに関連して、制御ＩＤフィールド６６２値が４であるとき、それはＣＱＩまたはＭＣＳフィードバック情報を指示し、制御情報フィールド６６４は、ＣＱＩ制御フィールド１１７１、チャネル・ビットマップ・フィールド１１７２、サブチャネル・ビットマップ・フィールド１１７３、およびチャネル／ＭＣＳフィードバック・フィールド１１７４を備える。いくつかの実施形態では、ＣＱＩ制御フィールド１１７１は、１バイトを備え得、チャネル・ビットマップ・フィールド１１７２は、１バイトを備え得、サブチャネル・ビットマップ・フィールド１１７３は、０乃至８バイトを備え得、チャネル／ＭＣＳフィードバック・フィールド１１７４は、０乃至３倍の（times）複数の空間ストリーム（Ｎ）を備え得る。図１１に示されるように、ＣＱＩ制御フィールド１１７１は、要求／応答フィールド１１８１、ダイアログ・トークン・フィールド１１８２、サブチャネル・ビットマップ・プレゼント・フィールド１１８３、チャネル／ＭＣＳ指示フィールド１１８４、およびリザーブド・フィールド１１８５を備え得る。チャネル／ＭＣＳフィードバック・フィールド１１７４は、制御情報フィールド６６４がＣＱＩまたはＭＣＳフィードバック情報を伝達しているかどうかに依存して２つの異なるフォーマットを備え得る。図１１に示されているように、制御情報フィールド６６４がＭＣＳフィードバック情報を含むとき、チャネル／ＭＣＳフィードバック・フィールド１１７４は、複数の空間ストリーム（ＮＵＭ＿ＳＴＳ）フィールド１１９１、ＭＣＳフィールド１１９２、ガード・インターバル（ＧＩ）フィールド１１９３、マルチユーザ（ＭＵ）／符号化フィールド１１９４、信号対雑音比（ＳＮＲ）フィールド１１９５、およびリザーブド・フィールド１１９６を備え得る。制御情報フィールド６６４がチャネル・フィードバック情報を含むとき、チャネル／ＭＣＳフィードバック・フィールド１１７４は、ＳＮＲ、または受信信号強度インジケータ（ＲＳＳＩ）情報を含み得る異なるセットのフィールドを備え得る。
【００５３】
[0083]  いくつかの実施形態では、ＣＱＩ／ＭＣＳフィードバックは、（例えば、チャネル・ビットマップ・フィールド１１７２および／またはサブチャネル・ビットマップ・フィールド１１７３のような）ビットマップによって特定されたように、ＯＦＤＭＡサブチャネルおよび／または各チャネルに対してＳＴＡによって要求／提供されることができる。サブチャネル・ビットマップ・プレゼント・フィールド１１８３は、フィードバックがサブチャネルにおいて提供される／要求されるべきであるかどうかを指示し得、チャネル／ＭＣＳ指示フィールド１１８４は、チャネル／ＭＣＳフィードバック・フィールド１１７４が上述のようにＭＣＳフィードバックまたはチャネル・フィードバックを包含すべきであるかどうかを指示し得る。ＳＴＡは、要求するＳＴＡに２つのタイプの（パラメトリックの、または統計的な）フィードバックを提供することができる。パラメトリック・フィードバックは、ＳＴＡへの送信のために、要求するＳＴＡによって使用されるべき送信パラメータの推奨されるセットを指示することができる。統計的なフィードバックは、ＳＴＡにおいてチャネル／サブチャネルの品質を推定することを要求するＳＴＡに可能にするチャネル推定測定基準（例えば、ＳＮＲ、ＲＳＳＩなど）のセットを指示し得る。
【００５４】
[0084]  制御ＩＤフィールド６６２または７９７で指示される別のタイプの情報は、図８Ａの横列８１４に示されるように、パワー・セーブ・ポール（ＰＳポール）情報を含む。ＰＳポール情報は、ＵＬバッファ状態報告を含む情報パワー・セーブ（information a power-save）を、互いに通信しているＳＴＡに提供し得る。図１２は、制御ＩＤフィールド６６２がエンハンスドＰＳポール（ｅＰＳポール）情報を指示する場合の、制御情報フィールド６６４フォーマットの図である。例えば、図８Ａに関連して、制御ＩＤフィールド６６２値が５である場合、それはＵＬバッファ状態報告を含むｅＰＳポールを指示し、ＨＥ制御フィールド１２６０の制御情報フィールド６６４は、ｅＰＳポール・フィールド１２７０を備える。ｅＰＳポール・フィールド１２７０は、バッファ状態（ＢＳ）制御フィールド１２７１およびＢＳ報告フィールド１２８０を備える。以下に示される図１２におけるｅＰＳポール・フィールド１２７０のように、ＢＳ制御フィールド１２７１は、要求／応答フィールド１２７２、アクセス・カテゴリ（ＡＣ）制約フィールド１２７３、およびリザーブド・フィールド１２７４を備える。ＢＳ報告フィールド１２８０は、スケーリング係数フィールド１２８１、バッファ可能ユニット（ＢＵ）長さフィールド１２８２、およびリザーブド・フィールド１２８３を備える。スケーリング係数フィールド１２８１は、ＳＴＡが広範囲のＢＵの長さをカバーすることを可能にし得る。特定の実施形態では、バッファ可能ユニット（ＢＵ）の長さは、オクテットでＢＵのサイズを指示し、一方で特定の他の実施形態では、これは、ＢＵを送信するために必要な（例えば、μｓの単位で、または、スケーリング係数で適切に計測された）持続時間を指示する。
【００５５】
[0085]  いくつかの実施形態では、ＡＰは、ＡＰが認識し且つＵＬ通信のためにリソースを割り当てることができるように、ＳＴＡにＵＬ ＢＳ報告を提供するように要求し得る。ＡＣ制約フィールド１２７３は、ＢＳ要求または応答が各ＡＣのためのものである（ＡＣ制約フィールド１２７３は１）か、すべてのＡＣに共通のものである（ＡＣ制約フィールド１２７３は０）かを指示し得る。いくつかの態様では、パワー・セーブ・シグナリングは、ｅＰＳポール１２７０において提供され得る。
【００５６】
[0086]  制御ＩＤフィールド６６２または７９７で指示される別のタイプの情報は、図８Ａの横列８１５に示されるように、１バイトを備え得るＣＲＣベースの保護情報を含む。ＣＲＣ情報は、ＭＡＣフレーム（例えば、図７ＡのＭＡＣフレーム７００）のためのＭＡＣヘッダの先行するフィールドにＣＲＣベースの保護を提供し得る。図１３は、制御ＩＤフィールド６６２がＣＲＣ情報を指示する場合の、制御情報フィールド６６４フォーマットの図である。例えば、図８Ａに関連して、制御ＩＤフィールド６６２値が３１である場合、それはＣＲＣ保護の存在を指示し、ＨＥ制御フィールド１３６０（ｄ）の制御情報フィールド６６４は、ＣＲＣフィールド１３７０を備える。ＣＲＣフィールド１３７０は、ＭＡＣフレーム（例えば、以下に記載のＭＡＣフレーム１３００）のすべての先行するＨＥ制御フィールドに対して、または、ＭＡＣフレームのＭＡＣヘッダに包含されるすべての先行するフィールドに対して、保護を提供し得る。特定の実施形態では、ＣＲＣフィールド１３７０は、ＨＥ制御フィールド１３６０の終端に常に存在し得、したがって、制御ＩＤフィールドがＨＥ制御フィールドの終端を指示する必要が無い。
【００５７】
[0087]  図１３に示されているように、ＨＥ制御フィールド１３６０（ｄ）は、ＭＡＣフレーム１３００のフィールドを備える。ＭＡＣフレーム１３００は、図７ＡのＭＡＣフレーム７００に類似し、それから適合されている。簡潔にするために、ＭＡＣフレーム７００と１３００との間の違いのみが、本書では説明される。ＭＡＣフレーム１３００は、複数のＨＥ制御フィールド１３６０を備える。図示されているように、ＭＡＣフレーム１３００は、いくつかの態様では図９のＨＥ制御フィールド９６０に対応するＨＥ制御フィールド１３６０（ａ）と、いくつかの態様では図１１のＨＥ制御フィールド１１６０に対応するＨＥ制御フィールド１３６０（ｂ）と、いくつかの態様では図１２のＨＥ制御フィールド１２６０に対応するＨＥ制御フィールド１３６０（ｃ）と、ＨＥ制御フィールド１３６０（ｄ）と、を備え、（図示されていない）他のＨＥ制御フィールドを含み得る。いくつかの態様では、複数のＨＥ制御フィールド１３６０のうちの１つまたは複数は、１つまたは複数のＳＴＡに宛てられ得る。例えば、ＤＬ ＭＵ ＰＰＤＵにおいて、ＨＥ制御フィールド１３６０（ａ）は、第１のＳＴＡに宛てられ得、ＨＥ制御フィールド１３６０（ｂ）は、第２のＳＴＡに宛てられ得る。いくつかの態様では、ＨＥ制御フィールド１３６０の数は、ＤＬ ＭＵ ＰＰＤＵの対象であるＳＴＡの数に基づき得る。例えば、ＤＬ ＭＵ ＰＰＤＵが４個のＳＴＡを対象とする場合、ＰＰＤＵは、４個のＨＥ制御フィールド１３６０を、各ＳＴＡに１個備え得るが、各ＳＴＡに対して多かれ少なかれ複数のＨＥ制御フィールド１３６０もまた可能である。
【００５８】
[0088]  いくつかの実施形態では、ＳＴＡは、すべての先行するＨＥ制御フィールドを保護するためにＣＲＣフィールド１３７０を含むＨＥ制御フィールド１３６０（ｄ）を加え得る（例えば、図１３に示されているオプション１は、ＭＡＣフレーム１３００のＨＥ制御フィールド１３６０（ａ）乃至１３６０（ｄ）を保護する）。この実施形態に関わる非制限的な利益は、それがＭＡＣフレーム１３００の残りからの制御情報シグナリングのための別個のエラー検出を可能にし得ることである。ＣＲＣパスは、制御情報がＦＣＳ状態から独立して正確に受信されたことを指示する。他の実施形態では、ＣＲＣフィールド１３７０は、ＭＡＣフレーム１３００のＭＡＣヘッダに含まれるすべての先行するフィールドを保護する（例えば、図１３に示されているオプション２は、ＨＥ制御フィールド１３６０（ａ）乃至（ｄ）と、ＭＡＣフレーム１３００のＦＣフィールド５１０までのすべての先行するフィールドとを保護する）。この実施形態に関わる非制限的な利益は、それが重要な情報の早期検出を可能にし得ることである。この実施形態におけるＣＲＣ保護はまた、（例えば空間の再利用のために）非メンバーＳＴＡによって生じられようとメンバーＳＴＡによって生じられようと、あるいは、ＭＡＣフレーム１３００の対象が特定のＳＴＡであろうと、そうでなかろうと、（例えば、ＴＸＯＰ保護およびパワー・セーブのために）ネットワーク割り当てベクトル（ＮＡＶ）を正確に設定し得る。
【００５９】
[0089]  制御ＩＤフィールド６６２または７９７で指示される別のタイプの情報は、図８Ｂの横列８６３に示されるように、サービス品質（ＱｏＳ）情報を含む。ＱｏＳ情報は、バッファ状態要求／報告（すなわち、ＱｏＳ制御のエンハンスド版）の指示を、互いに通信しているＳＴＡに提供し得る。図１４は、制御ＩＤフィールド７９７がＱｏＳ情報を指示する場合のＨＥ制御情報フィールド７９５フォーマットの図である。例えば、図８Ｂに関連して、制御ＩＤフィールド６６２値が３である場合、それはバッファ状態要求／報告（すなわち、ＱｏＳ制御のエンハンスド版）を指示し、ＨＥ制御フィールド１４６０の制御情報フィールド６６４は、ＱｏＳ制御フィールド１４７０を備える。いくつかの態様では、ＱｏＳ制御フィールド１４７０は、２バイトを備え得る。ＱｏＳ制御フィールド１４７０は、ＢＳポーリングを行う場合にＴＩＤ／ＳＦフィールド１４７１およびリザーブド・フィールド１４７２を備え、ＢＳ報告を行う場合にＴＩＤ／ＳＦフィールド１４７１、ＴＸＯＰ持続時間フィールド１４７５、およびキュー・サイズ・フィールド１４７６を備える。いくつかの態様では、ＡＰはＱｏＳ制御フィールド１４７０を含むＢＳポーリング・フレームを送ることによってＳＴＡをそれらのバッファ状態に関してポーリングし得る。ＱｏＳ制御フィールド１４７０は、ポーリングが「ＴＩＤごと」であるか、「すべてのＴＩＤ」であるか、およびその他に関連するＢＳポーリング・パラメータであるかを特定し得る。これに応じて、非ＡＰ ＳＴＡは、ＱｏＳ制御フィールド１４７０においてＢＳ報告を搬送し得る。いくつかの態様では、ＴＩＤごとのＢＳ情報は、ＱｏＳデータおよびＱｏＳヌル・フレームにおいて伝達される。他の態様では、すべてのＴＩＤ、ＴＩＤごとのＢＳ情報は、ＱｏＳ制御フィールド１４７０において伝達される。いくつかの態様では、ＱｏＳ制御フィールド１４７０は、ＨＥ制御フィールド６６０における他の情報でアグリゲートされ得る。ＱｏＳ制御フィールド１４７０の非制限的な利益は、それがＭＡＣオーバーヘッドの発生を減じ得ることである。
【００６０】
[0090]  制御ＩＤフィールド６６２または７９７で指示される別のタイプの情報は、図８Ｂの横列８６５に示されるように、ユニキャスト・トリガ情報を含む。ユニキャスト・トリガ情報は、トリガ・フレーム（リソース割り当ておよびアップリンクに関わる他のパラメータ）の指示を、互いに通信しているＳＴＡに提供し得る。図１５は、制御ＩＤフィールド７９７がユニキャスト・トリガ情報を指示する場合のＨＥ制御情報フィールド７９５フォーマットの図である。例えば、図８Ｂに関連して、制御ＩＤフィールド６６２値が５である場合、それはトリガ・フレーム（すなわち、ＱｏＳ制御のエンハンスド版）を指示し、ＨＥ制御フィールド１５６０の制御情報フィールド６６４は、トリガ情報フィールド１５７０を備える。いくつかの態様では、トリガ情報フィールド１５７０は、可変数のバイトを備え得る。トリガ情報フィールド１５７０は、トリガ・フレーム、ＳＴＡに関わるサブチャネル割当、圧縮／非圧縮ＵＬ ＭＡＣフォーマットなどに関する情報を備え得る。いくつかの態様では、トリガ情報フィールド１５７０は、ＨＥ制御フィールド６６０における他の情報でアグリゲートされ得、ＤＬ ＭＵ ＰＰＤＵで伝達され得る。トリガ情報フィールド１５７０の非制限的な利益は、それがＭＡＣオーバーヘッドの発生を減じ得ることである。例えば、ＤＬ ＭＵ ＰＰＤＵにおけるＨＥ制御フィールド６６０の一部であることによって、トリガ・フレームに関わる追加の制御情報が、最小限のオーバーヘッドをともなってＤＬ ＭＵ ＰＰＤＵで伝達されることができる。
【００６１】
[0091]  いくつかの態様では、ＨＥ制御フィールド６６０は、ＵＬ ＭＵ ＰＰＤＵにおいて伝達され得る。ＵＬ ＭＵ ＰＰＤＵにおいて、ＡＰ１１０は、２つ以上のＳＴＡから２つ以上のＰＰＤＵを受信し得る。ＵＬ ＭＵ ＰＰＤＵは、（例えば、信号フィールド（ＳＩＧ−Ａ、ＳＩＧ−Ｂ、またはＳＩＧ−Ｃ）の一部としてＰＨＹヘッダにおいて）本書に示されるようにＵＬ ＭＵ ＰＰＤＵの異なる部分に位置されるＨＥ制御フィールド６６０のうちの１つまたは複数を備え得る。例えば、３個のＳＴＡは、（下に論じられる）３個の独立したＳＩＧ−Ｂフィールド１７００を送信することによって、ＵＬ ＭＵ ＰＰＤＵにおいて情報を、各ＳＴＡに１個、送信し得、各々は、ＨＥ制御フィールド６６０のうちの１つまたは複数を備える。いくつかの実施形態では、ＳＩＧ−Ｂフィールド１７００は、（例えば、ＣＤＭＡ、ＯＦＤＭＡ、ＴＤＭＡ、ＳＤＭＡなどを使用して）いくつかの他の手段によって、コード、周波数、または時間において多重化され得る。さらに、ＤＬおよびＵＬ両方のＭＵ ＰＰＤＵに関しては、ＰＰＤＵは、複数のＳＴＡに、および／または、複数のＳＴＡから、ＭＵ ＰＰＤＵを生成するためのいくつかの他の手段によって、コード、周波数、または時間において多重化され得る。
【００６２】
[0092]  図１６は、ワイヤレス通信システム１００における例としてのフレーム交換１６００を示す時系列図である。図１６の実施形態では、ＡＰは、トラヒック指示マップＴＩＭ１、ＴＩＭ２、およびＴＩＭ４を有するビーコン・メッセージ１６０１を送信し得る。そしてＡＰは、ＳＴＡから制御情報を要求するためにトリガ・メッセージ１６０２を送り得、それに対してＤＬ ＢＵフィードバックを有する。例えば、ＡＰはＳＴＡの各々に対してＤＬ ＢＵ送信パラメータを調整するためにＱＣＩ／ＭＣＳフィードバックおよび／またはＢＳ報告を要求し得る。ＳＴＡ（例えば、ＳＴＡ１、ＳＴＡ２、ＳＴＡ４）は、それぞれ、エンハンスドＰＳポール・フレーム１６０３、１６０４、および１６０５を送ることによって報告を返し得る。ｅＰＳポール・フレーム１６０３、１６０４、および１６０５は、図１２のｅＰＳポール・フィールド１２７０に対応し得、トリガ・メッセージ１６０２における要求に対するＨＥ制御応答を含み得る。ｅＰＳポール・フレーム１６０３、１６０４、および１６０５は、推奨されるＤＬリソース（例えば、（チャネル、ＭＣＳ、信号強度などに関して）最良のＭ個のリソース）と、各ＳＴＡがＡＰに対するＵＬに関して有するデータの量を含むＢＳ報告とを含み得る。この情報を受信すると、ＡＰは、ＡＣＫ１６０６を送ることによって受信を承認し、（例えば、ＤＬ１メッセージ１６０８、ＤＬ４メッセージ１６０９、ＵＬ１メッセージ１６１０およびＵＬ４メッセージ１６１１をスケジューリングするためのトリガ・メッセージ１６０７を使用して、および、ＤＬ２メッセージ１６１３およびＢＡ２メッセージ１６１４をスケジューリングするためのトリガ・メッセージ１６１２を使用して、）これらのＳＴＡに関してＤＬ／ＵＬ送信をスケジューリングする。ＡＰは、ネットワーク・リソースの有効な割当てのためにｅＰＳポール・フレーム１６０３、１６０４、および１６０５において受信されるバッファ状態情報を使用して、および各ＳＴＡから推奨されるＴＸパラメータのうちの１つを使用して、ＤＬ／ＵＬ送信をスケジューリングし得る。
【００６３】
[0093]  いくつかの実施形態では、ＨＥ制御フィールド（例えば、ＨＥ制御フィールド６６０）は、ＰＰＤＵフレームの他の部分に位置され得る。いくつかの態様では、ＨＥ制御フィールド６６０は、ＰＰＤＵのプリアンブル部分の任意のフィールドに位置され得る。図１７Ａは、例としての８０２．１１ＰＰＤＵ１７９９の図である。ＰＰＤＵ１７９９は、プリアンブル部分１７５０およびデータ部分１７７０を備え得る。プリアンブル部分１７５０は、レガシ・プリアンブル部分１７５５を備え得る。図示されているように、レガシ・プリアンブル部分１７５５は、レガシ・ショート・トレーニング・フィールド（Ｌ−ＳＴＦ）１７５１、ロング・トレーニング・フィールド（Ｌ−ＬＴＦ）１７５２、および信号フィールド（Ｌ−ＳＩＧ）フィールド１７５３を備え包含する。プリアンブル部分１７５０はさらに、反復Ｌ−ＳＩＧフィールド１７５４、ＨＥ−ＳＩＧＡフィールド１７６０、ＨＥ−ＳＩＧＢフィールド１７６１、ＨＥ−ＳＴＦフィールド１７６２、ＨＥ−ＬＴＦフィールド１７６３、およびＨＥ−ＳＩＧＣフィールド１７６４を備える。いくつかの態様では、プリアンブル部分１７５０は、追加のフィールド（図示されていない）を含むことができ、フィールドは、再配置、除去、および／またはリサイズされることができ、フィールドのコンテンツは変更されることができる。例えば、さまざまな実施形態では、プリアンブル部分１７５０はさらに、ＳＴＦフィールド（例えば、ＨＴ−ＳＴＦ、ＶＨＴ−ＳＴＦ、ＨＥ−ＳＴＦ）、ＬＴＦフィールド（例えば、ＨＴ−ＬＴＦ、ＶＨＴ−ＬＴＦ、ＨＥ−ＬＴＦ）、１つまたは複数の追加の信号フィールド（例えば、追加のＨＥ−ＳＩＧＡ、ＨＥ−ＳＩＧＢ、ＨＥ−ＳＩＧＣフィールド、ＨＴ−ＳＩＧＡ、ＶＨＴ−ＳＩＧＢ、ＶＨＴ−ＳＩＧＣ、１つまたは複数の反復フィールド、など）、のうちの１つまたは複数を含むことができる。いくつかの態様では、ＰＰＤＵ１７９９の特定のフィールドから（例えば、ＤＬ ＭＵ ＰＰＤＵにおけるＨＥ−ＳＩＧＢ１７６１またはＵＬ ＭＵ ＰＰＤＵにおけるＨＥ−ＳＴＦ１７６２から）開始して、特定のフィールド、およびその次のフィールドは、ＰＰＤＵがＭＵである場合に２つ以上のＳＴＡに関わる情報を包含し得る。さらに、２つ以上のＳＴＡ複数のユーザに関わる情報は、周波数、時間、またはコードにおいて多重化され得る。
【００６４】
[0094]  図１７Ｂは、ＰＰＤＵ（例えば、ＰＰＤＵフレーム４００または１７９９）の物理レイヤ（ＰＨＹ）ヘッダのＳＩＧ−Ｂフィールド１７００に含まれるＨＥ制御フィールド６６０の図である。いくつかの実施形態では、ＳＩＧ−Ｂフィールド１７００は、８０２．１１規格で規定されているように、ＨＥ ＰＨＹヘッダのＨＥ ＳＩＧ−Ｂフィールドである。いくつかの態様では、ＳＩＧ−Ｂフィールド１７００のビット（Ｂ１）は、０に設定され、ＳＩＧ−Ｂフィールド１７００のコンテンツは、ＰＨＹが設計するものすべて（whatever the PHY designs）である。他の態様では、ＳＩＧ−Ｂフィールド１７００のビット（Ｂ１）が１に設定される場合、ＳＩＧ−Ｂフィールド１７００のコンテンツは、１つまたは複数のＨＥ制御フィールド６６０である。いくつかの実施形態では、ＰＰＤＵフレームは、Ｌ−ＳＩＧフィールドの長さはそれがＣＭＡＣフレームであることを示す場合、ＭＡＣ情報（ＣＭＡＣ）フレームを伝達するＨＥ ＮＤＰである。いくつかの態様では、ビット（Ｂ０）は、（１そしてＮＤＰ、そうでなければＰＬＣＰサービス・データ・ユニット（ＰＳＤＵ）が存在する場合に）ＮＤＰ指示として使用されることができる。ＳＩＧ−ＢフィールドにおいてＨＥ制御フィールドを含むことの非制限的な利益は、それが、ＨＥ制御フィールド６６０がトリガ・フレームのコンテンツを伝達することができることにより、トリガ・フレーム設計を前進させるための解決策を提供し得ることである。さらに、ＰＨＹに対するＨＥ制御フィールド６６０のコンテンツがＭＡＣによって提供されるので、ＰＨＹトリガ・フレームに関わる並列の設計（parallel design）を有することのリスクを減じ得る。
【００６５】
[0095]  上述のように、ＨＥ制御フィールド６６０は、図示されていない追加のフィールドを含めて、図１７Ａのプリアンブル部分１７５０のフィールド（例えば、Ｌ−ＳＴＦ１７５１、Ｌ−ＬＴＦ１７５２、Ｌ−ＳＩＧ１７５３、反復Ｌ−ＳＩＧフィールド１７５４、ＨＥ−ＳＩＧＡフィールド１７６０、ＨＥ−ＳＩＧＢフィールド１７６１、ＨＥ−ＳＩＧＣフィールド１７６４など）のいずれかに位置され得る。さらに、１つまたは複数のＨＥ制御フィールド６６０は、ＰＰＤＵ１７９９を受信する１つまたは複数のＳＴＡに関わるプリアンブル部分１７５０フィールドの内の１つまたは複数に含まれ得る。例えば、ＨＥ−ＳＩＧＢ１７６１は、１つまたは複数のＳＴＡを対象とする１つまたは複数のＨＥ制御フィールド６６０を備え得、ＨＥ−ＳＩＧＣ１７６４は、１つまたは複数の異なるＳＴＡを対象とする１つまたは複数のＨＥ制御フィールド６６０を備え得る。
【００６６】
[0096]  いくつかの実施形態では、ＨＥ制御フィールド６６０は、アグリゲートされたＡ−ＭＰＤＵサブフレームに位置され得る。例えば、図１８は、複数のＡ−ＭＰＤＵサブフレーム１８１０を含むＡ−ＭＰＤＵ１８００の図である。図示されるように、Ａ−ＭＰＤＵ１８１０（ｎ）は、ＭＰＤＵデリミタ・フィールド１８２０、ＭＰＤＵフィールド１８３０、およびパディング・フィールド１８４０を備える。ＭＰＤＵデリミタ・フィールド１８２０は、フレームの終端（ＥＯＦ）フィールド１８２１、リザーブド・フィールド１８２２、ＭＰＤＵ長さフィールド１８２３、ＣＲＣフィールド１８２４、およびデリミタ・シグネチャ・フィールド１８２５を備える。さらに、ＭＰＤＵフィールド１８３０は、ＨＥ制御フィールド６６０を備え得る。いくつかの実施形態では、ＨＥ制御フィールド６６０のコンテンツは、Ａ−ＭＰＤＵサブフレーム（例えば、Ａ−ＭＰＤＵサブフレーム１８１０（ｎ））においてシグナリングされ得る。例えば、ＭＰＤＵ長さフィールド１８２３が、ＭＰＤＵの長さが１４バイト未満であることを指示する場合、ＭＰＤＵ１８３０は、ＨＥ制御フィールド６６０を包含し得る。いくつかの態様では、ＨＥ制御フィールド６６０のビット（Ｂ１）がノン・ゼロ（non-zero）であるという事実は、ＭＰＤＵ１８３０がＰＶ２フレームに類似し得るので、ＭＰＤＵの新しいフォーマットとしてＭＰＤＵ１８３０を決定するのに十分であり得る。Ａ−ＭＰＤＵサブフレームにおいてＨＥ制御フィールド６６０を含むことの非制限的な利益は、ＨＥ制御フィールド６６０を包含するＡ−ＭＰＤＵサブフレームがＵＬ／ＤＬ ＭＵ ＰＰＤＵをパディングする（padding）ために使用されることができる。
【００６７】
[0097]  特定の実施形態では、ＰＰＤＵ（例えば、ＰＰＤＵ１７９９）において伝達されるＨＥ制御フィールド６６０のうちの少なくとも１つまたは複数は、ＰＰＤＵ１７９９に包含されるＨＥ制御フィールド６６０の送信機がＰＰＤＵ１７９９の（すなわち、ＨＥ制御フィールド６６０において伝達される制御情報の）この部分に関わる肯定応答を要求することの指示を包含し得る。ＨＥ制御フィールド６６０を伝達するフレームの有効な部分を包含するＰＰＤＵ１７９９の受信時に、受信者は、肯定応答を送ることによってこのような受信を承認し得る。ＨＥ制御フィールド６６０部分の正確な受信の肯定応答は、現存するフレーム（例えば、Ａｃｋ、（リザーブド・フィールドの一部としてのブロックＡｃｋフレーム、またはそれの中の値）においてピギーバックされる（piggybacked）ことができ、または、１つまたは複数のＨＥ制御フィールド６６０を伝達する受信者によって生成されるＰＰＤＵであることができ、それらのうちの少なくとも１つは、事前に受信されたＨＥ制御フィールド６６０部分の成功した（または失敗した）受信の指示を包含する。特定の実施形態では、（無線で送られる）複数のＨＥ制御フィールド６６０の搬送／受信を識別するために、トークン・フィールドが、情報／肯定応答シーケンスを特定するためにＨＥ制御フィールド６６０において加えられ得る。
【００６８】
[0098]  図１９は、本開示のさまざまな態様にしたがって、ワイヤレス通信のための例としての方法１９００のフロー図である。方法１９００は、いくつかの態様では、デバイス３０２によって実施され得る。方法１９００はまた、図１および２に示されるＵＴ１２０またはＡＰ１１０のうち１つまたは複数によって実施され得、当業者は、その方法１９００が他の適切なデバイスおよびシステムによってインプリメントされ得ることを理解するであろう。方法１９００は、さまざまな実施形態で、特定の順序に関して本書で説明されるが、本書のブロックは、異なる順序で実施され、または省略され得、および追加のブロックが加えられ得る。
【００６９】
[0099]  動作ブロック１９０５は、可変数の制御フィールドから、フレームに含めるための１つまたは複数の制御フィールドを選択することを含む。動作ブロック１９１０は、選択された数の制御フィールドを備えるフレームを生成することを含み、各制御フィールドは、制御フィールドの終端を備え、制御フィールドの終端は、フレームにおける別の制御フィールドの存在、または選択された数の制御フィールドの終端を指示するインジケータを記憶する。動作ブロック１９１５は、フレームを送信することを含む。
【００７０】
[0100]  いくつかの実施形態では、ワイヤレス通信のための装置は、本書に説明される特定の実施形態にしたがって、方法１９００の機能のうちの１つまたは複数を実施し得る。装置は、可変数の制御フィールドから、フレームに含めるための１つまたは複数の制御フィールドを選択するための手段を備え得る。特定の実施形態では、選択するための手段が、プロセッサ３０４またはＤＳＰ３２０（図３）によってインプリメントされることができる。特定の選択において、生成するための手段が、ブロック１９０５（図１９）の機能を実施するように構成されることができる。装置はさらに、選択された数の制御フィールドを備えるフレームを生成するための手段を備え、各制御フィールドは、制御フィールドの終端を備え、制御フィールドの終端は、フレームにおける別の制御フィールドの存在、または選択された数の制御フィールドの終端を指示するインジケータを記憶する。特定の実施形態では、生成するための手段が、プロセッサ３０４またはＤＳＰ３２０（図３）によってインプリメントされることができる。特定の実施形態では、生成するための手段が、ブロック１９１０（図１９）の機能を実施するように構成されることができる。装置はさらに、フレームを送信するための手段を備え得る。特定の実施形態では、送信するための手段が、送信機３１０（図３）によってインプリメントされることができる。特定の実施形態では、送信するための手段が、ブロック１９１５（図１９）の機能を実施するように構成されることができる。
【００７１】
[0101]  図２０は、図７Ｂの制御ＩＤフィールド７９７の他の例としての値のチャートであり、それらの値が制御フィールド６６４における情報について指示するもののチャートである。図２０において示されるように、縦列２００１は、制御ＩＤフィールド６６２のためのさまざまな値を示し、縦列２００２は、制御情報フィールド６６４に含まれるさまざまな制御情報の手段を示し、縦列２００３は、制御情報フィールド６６４に含まれる制御情報に関わるさまざまな説明を示す。例えば、図２０の横列２００５に示されるように、制御ＩＤフィールド６６２における０の値は、ＵＬ ＭＵ応答スケジューリングを意味し、制御情報フィールド６６４が、要請（soliciting）Ａ−ＭＰＤＵに応答して予期される即時の肯定応答を伝達するＵＬ ＭＵ ＰＰＤＵに関わるスケジューリング情報を包含し得ることを指示する。制御ＩＤ６６２が０である場合の制御情報フィールド６６４の例としてのフォーマットが、図２１Ａに示される。
【００７２】
[0102]  図２１Ａは、制御ＩＤフィールド６６２が０である場合の、制御情報フィールド６６４の例としてのフォーマットの図を示す。図示されているように、制御情報フィールド６６４は、ＵＬ ＰＰＤＵ長さフィールド２１０２、リソース・ユニット（ＲＵ）割当てフィールド２１０４および第３フィールド２１０６を備える。ＵＬ ＰＰＤＵ長さフィールド２１０２は、ＵＬ ＭＵ応答の長さを指示し得る。いくつかの態様では、ＵＬ ＰＰＤＵ長さフィールド２１０２は、９乃至１２の間のビットを備える。いくつかの態様では、ＵＬ ＰＰＤＵ長さフィールド２１０２は、この制御情報を包含するフレームに応答して送られるべきフレームのＰＨＹヘッダのＬ−ＳＩＧフィールドにおいて、長さフィールドの９乃至１２の（実際の値はＵＬ ＰＰＤＵ長さフィールドのサイズに依存する）最下位ビット（ＬＳＢ）を包含し得る。受信ＳＴＡは、要請フレームのＵＬ ＰＰＤＵ長さフィールド２１０２のコンテンツを使用して応答として送信するフレームのＰＨＹヘッダのＬ−ＳＩＧフィールドに９乃至１２ＬＳＢを追加し、残りの３乃至０ＭＳＢを０に設定する。代替として、ＵＬ ＰＰＤＵ長さフィールド２１０２は、応答として送られるべきＵＬ ＰＰＤＵのマイクロ秒単位の、またはバイト単位の値を含む。いくつかの実施形態では、ＵＬ ＰＰＤＵ長さフィールド２１０２は、０値に設定されない場合がある。ＲＵ割り当てフィールド２１０４は、ＵＬ ＭＵ応答を送信するために割り当てられるリソース・ユニット（ＲＵ）を指示し得る。いくつかの態様では、ＲＵ割り当てフィールド２１０４は、１乃至１５の間のビットを備え得る。第３フィールドは、１乃至１５の間のビットを備え得、将来の使用のためにリザーブされ得る。
【００７３】
[0103]  戻って図２０を参照すると、横列２００６において、制御ＩＤフィールド６６２における１の値は、受信動作モード指示を意味し、制御情報フィールド６６４は、ＨＥ制御フィールドを包含するＭＰＤＵを送信するＳＴＡの受信動作モードに関連する情報を包含し得る。制御ＩＤ６６２が１である場合の制御情報フィールド６６４の例としてのフォーマットが、図２１Ｂに示される。
【００７４】
[0104]  図２１Ｂは、制御ＩＤフィールド６６２が１である場合の、制御情報フィールド６６４の例としてのフォーマットの図を示す。図示されているように、制御情報フィールド６６４は、受信機（ＲＸ）空間ストリーム数（ＮＳＳ）フィールド２１５２、ＲＸチャネル幅フィールド２１５４、および第３フィールド２１５６を備える。ＲＸ ＮＳＳフィールド２１５２は、受信においてＳＴＡにサポートされる空間ストリームの最大数、ＮＮＳ、を指示し得、ＮＳＳ−１に設定され得る。いくつかの態様では、ＲＸ ＮＳＳフィールド２１５２は、３ビットを備える。ＲＸチャネル幅フィールド２１５４は、受信においてＳＴＡによってサポートされる動作チャネル幅を指示し得る。いくつかの態様では、ＲＸチャネル幅フィールド２１５４は、２０ＭＨｚに対して０、４０ＭＨｚに対して１、８０ＭＨｚに対して２、および１６０ＭＨｚに対して３に設定される。いくつかの態様では、ＲＸチャネル幅フィールド２１５４は、２ビットを備え得る。第３フィールド２１５６は、０乃至Ｘの間のビットを備え得、ここにおいてＸは１より大きい整数であり、将来の使用のためにリザーブされ得る。
【００７５】
[0105]  図６および９に関連して、図２２は、制御ＩＤフィールド６６２が明確なＡＣＫ／ＢＡ要求情報を指示する場合の、例としての制御情報フィールド６６４フォーマットの図である。例えば、いくつかの態様では、制御ＩＤフィールド６６２値が３である場合、それは、制御情報フィールド６６４が即時のＡＣＫ／ＢＡ要求に関連する情報を提供することを明確に指示する。図２２に示されるように、ＨＥ制御フィールド６６０の制御情報フィールド６６４は、ＴＩＤ＿ＩＮＦＯフィールド２２０５、ＴＩＤ値フィールド２２１０、要求されるビットマップ・サイズ・フィールド２２１２、開始シーケンス数（ＳＳＮ）プレゼント・フィールド２２１４、およびＳＳＮフィールド２２１６を備える。いくつかの態様では、ＴＩＤ＿ＩＮＦＯフィールド２２０５は、ＨＥ制御フィールド６６０に存在するＴＩＤの数を指示する（例えば、ＴＩＤ＿ＩＮＦＯ値＋１）。いくつかの態様では、ＴＩＤ値フィールド２２１０は、要求されるＡｃｋ／ＢＡが関わるＴＩＤを指示する。いくつかの態様では、要求されるビットマップ・サイズ・フィールド２２１２は、要求される（ブロック）Ａｃｋビットマップ・サイズ（例えば、１ビットの場合は０（すなわちＡｃｋ／Ｎａｃｋ）、１バイトの場合は１、４バイトの場合は２、８バイトの場合は３、など）を指示する。いくつかの態様では、ＳＳＮプレゼント・フィールド２２１４は、ＳＳＮフィールド２２１６の存在を指示する。例えば、ＳＳＮプレゼント・フィールド２２１４は、ＳＳＮサブフィールドが存在する場合に１に設定され得、そうでない場合は０に設定される。いくつかの態様では、ＳＳＮフィールド２２１６は、このＴＩＤ（Ａ ＢＡＲ）に関わる開始シーケンス数を包含する。例えば、それの存在は、ＢＡスコアをシフトするための明確な指示である。
【００７６】
[0106]  いくつかの態様では、ＴＩＤ＿ＩＮＦＯフィールド２２０５は、３ビットを備え、ＴＩＤ値フィールド２２１０は、４ビットを備え、要求されるビットマップ・サイズ・フィールド２２１２は、２ビットを備え、ＳＳＮプレゼント・フィールド２２１４は、１ビットを備え、ＳＳＮフィールド２２１６は、０または１２ビットを備える。
【００７７】
[0107]  別の例では、制御ＩＤフィールド６６２は、明確なＡＣＫ／ＢＡ応答情報を指示し得、制御情報フィールド６６４は、即時の承認応答（acknowledgement response）に関連する情報を提供し得る。例えば、いくつかの態様では、制御ＩＤフィールド６６２値が４である場合、それは、制御情報フィールド６６４が即時の承認応答に関連する情報を提供することを明確に指示する。図２３に示されるように、ＨＥ制御フィールド６６０の制御情報フィールド６６４は、ＴＩＤ＿ＩＮＦＯフィールド２３０５、ＴＩＤ値フィールド２３１０、要求されるビットマップ・サイズ・フィールド２３１２、開始シーケンス数（ＳＳＮ）フィールド２２１４、およびＢＡビットマップ・フィールド２３１６を備える。いくつかの態様では、ＴＩＤ＿ＩＮＦＯフィールド２３０５は、ＨＥ制御フィールド（例えば、図７ＢのＨＥ制御フィールド７９５）に存在するＴＩＤの数を指示する。いくつかの態様では、ＴＩＤ値フィールド２３１０は、Ａｃｋ／ＢＡ応答が関わるＴＩＤを指示する。いくつかの態様では、要求されるビットマップ・サイズ・フィールド２３１２は、要求される（ブロック）Ａｃｋビットマップ・サイズ（例えば、１ビットの場合は０（すなわちＡｃｋ／Ｎａｃｋ）、１バイトの場合は１、４バイトの場合は２、８バイトの場合は３、など）を指示する。いくつかの態様では、ＳＳＮフィールド２３１４は、現在のＴＩＤ（ＢＡ）に関わる開始シーケンス数を包含する。いくつかの態様では、ＢＡビットマップ・フィールド２３１６は、ＢＡに関わる値のビットマップを含む。いくつかの態様では、ＢＡビットマップ・フィールド２３１６は、ビットマップ・サイズがノン・ゼロである場合に、存在する。
【００７８】
[0108]  いくつかの態様では、ＴＩＤ＿ＩＮＦＯフィールド２３０５は、３ビットを備え、ＴＩＤ値フィールド２３１０は、４ビットを備え、要求されるビットマップ・サイズ・フィールド２３１２は、２ビットを備え、ＳＳＮフィールド２３１４は、０または１２ビットを備え、ＢＡビットマップ・フィールド２３１６は、要求されるビットマップ・サイズ・フィールド２３１２の値に基づいて１、１６、３２または６４ビットを備える。
【００７９】
[0109]  図２４は、（例えば、ＨＥ制御フィールド６６０および７９５のような）ＨＥ制御フィールド内で明確なＡＣＫ／ＢＡを使用するフレーム交換（下部）と、ベースライン・フレーム交換（上部）とを比較する、例としてのフレーム交換を例示する時系列図２４００である。図示されているように、図２４では、ＢＡフレームに含まれるＡＣＫおよびベースラインの両方は、第１のデバイスから送信されるＶＨＴシングルＭＰＤＵ２４０１を示す。ＳＩＦＳ期間の後、ベースライン・フレーム交換における第２のデバイスは、複数のＭＰＤＵメッセージ２４０５（ａ）乃至２４０５（ｎ）によって後続される肯定応答（ＡＣＫ）メッセージ２４０２を送信する。下部では、ＳＩＦＳ期間の後に、第２のデバイスは、第１のデバイスにＭＰＤＵ２４１０（ａ）乃至２４１０（ｎ）を送信し得る。ＭＰＤＵ２４１０（ａ）乃至２４１０（ｎ）は、ＨＥ制御フィールド６６０および７９５内にＡＣＫを含む。
【００８０】
[0110]  図２５は、ＨＥ制御フィールド６６０および７９５内で明確なＢＡＲを使用するフレーム交換（下部）と、ベースライン・フレーム交換（上部）とを比較する、例としてのフレーム交換を例示する時系列図２５００である。図示されるように、図２５では、ベースラインの上部のフレーム交換において、第１のデバイスが、ＢＡＲ２４２５によって後続されるＭＰＤＵ２４２１（ａ）乃至２４２１（ｎ）を送信する。ＳＩＦＳ期間の後、ベースライン・フレーム交換における第２のデバイスは、１つまたは複数のＭＰＤＵ２４３５によって後続される１つまたは複数のＢＡ２４３０を送信する。下部では、第１のデバイスは、ＭＰＤＵのＨＥ制御フィールド６６０および７９５内にＢＡＲを含むＭＰＤＵ２４４０（ａ）乃至２４４０（ｎ）を送信する。ＳＩＦＳ期間の後、下部のフレーム交換における第２のデバイスは、１つまたは複数のＭＰＤＵ２４３５によって後続される１つまたは複数のＢＡ２４３０を送信する。
【００８１】
[0111]  ＨＥ制御情報フィールド６６０（または図７ＢのＨＥ制御フィールド７９５）のうちの１つまたは複数にＢＡＲ／ＢＡ情報を含むことのいくつかの非制限的な利益は複数の制御フレームまたはＢＡＲ／ＢＡメッセージをアグリゲートする必要性が無く、そのことが、ＭＡＣオーバーヘッドを減じ得ることである。さらに、ＨＥ制御フィールドにＢＡＲ／ＢＡを含むことは、各ＭＰＤＵがＢＡＲ／ＢＡ情報を伝達し得るので、単一点障害を除去し得ることである。いくつかの態様では、ＢＡＲ／ＢＡ情報を伝達するためのＨＥ制御フィールドの使用は、いかなるＭＰＤＵも他のＴＩＤ／タイプの他のＭＰＤＵに対する応答を要請することができるように、さらなる柔軟性を与え得る。さらに、複数のＨＥ制御フィールド６６０および７９５の使用は、（例えば図１３に示されるように）シームレスに加えられることができる制御情報のさまざまな組み合わせを可能にする。例えば、１つのＨＥ制御フィールド６６０は、ＢＡＲに関わる情報を包含し得、別のＨＥ制御フィールド６６０は、チャネル品質情報に関わる情報を包含し得る。
【００８２】
[0112]  図２６は、一実施形態にしたがった、マルチＳＴＡブロック肯定応答（ＢＡ）フレーム２６００の例としてのフォーマットの図である。図示されるように、ＢＡフレーム２６００は、ＭＡＣヘッダ部分２６０２、ＢＡ制御フィールド２６０４、ＢＡ情報フィールド２６１０、およびＦＣＳフィールド４７０を備える。いくつかの実施形態では、ＭＡＣヘッダ部分２６０２は、２バイトを備え得、ＢＡ制御フィールド２６０４は、２バイトを備え得、ＢＡ情報フィールド２６１０は、ＢＡフレーム２６００において識別される各関連付け識別子（ＡＩＤ：association identifier）に関わる情報を包含する可変数のバイトを備え得る。
【００８３】
[0113]  いくつかの実施形態では、ＢＡ情報フィールド２６１０は、ＳＴＡごとの情報サブフィールドの１つまた複数の例を、宛先となる各ＳＴＡに１つ、備え得る。ＳＴＡごとの情報サブフィールドは、各々、フレーム２６００を受信するＳＴＡのＡＩＤおよびトラヒック識別子（ＴＩＤ）を含む。ＳＴＡごとの情報サブフィールドは、ＡＩＤごとのトラヒック識別子（ＴＩＤ）情報フィールド２６１１、ブロック肯定応答開始シーケンス制御フィールド２６１２、およびＢＡビットマップ・フィールド２６１３を備え得る。図２６に示されているように、ＢＡフレーム２６００は、「ｎ」の数のＳＴＡに関わる情報を包含し、ＳＴＡごとの情報サブフィールドは、ＡＩＤごとのＴＩＤ情報フィールド２６１１（１）、ブロック肯定応答開始シーケンス制御フィールド２６１２（１）、およびＢＡビットマップ・フィールド２６１３（１）乃至ＳＴＡ１−ｎに関わるフィールド２６１１（ｎ）、２６１２（ｎ）、および２６１３（ｎ）を包含する。いくつかの実施形態では、ＡＩＤごとのＴＩＤ情報フィールド２６１１は、マルチＴＩＤ Ａ−ＭＰＤＵに包含される複数のＴＩＤに関わるＡＣＫ／ＢＡを可能にする。ＡＩＤごとのＴＩＤ情報フィールド２６１１はまた、ＢＡ情報フィールド２６１０における他のフィールドの長さを指示し得るＡＣＫタイプのフィールド（図示されていない）を備え得る。例えば、ＡＩＤごとのＴＩＤ情報フィールド２６１１は、２バイトを備え得、ブロック肯定応答開始シーケンス制御フィールド２６１２は、０または２バイトを備え得、ＢＡビットマップ・フィールド２６１３は、０、４、８、３２または可変数のバイトを備え得る。ＡＣＫタイプのフィールドは、それらのフィールドの各々に関わる長さを指示し得る。いくつかの態様では、ＴＩＤの特定の値（例えば、１５または別の値）は、Ａ−ＭＰＤＵにおいて伝達されるアクションＡＣＫに関わるＡＣＫを指示し得る。マルチＳＴＡ ＢＡフレーム２６００は、トリガ使用可能ＰＰＤＵへの応答として、ＡＰによって使用され得る。いくつかの態様では、ＢＡフレーム２６００は、レガシ・フォーマットにおいて送られるか、応答Ａ−ＭＰＤＵにおいてアグリゲートされることができる。いくつかの実施形態では、ＢＡフレーム２６００は、応答Ａ−ＭＰＤＵ内で、ＤＬ ＭＵ ＰＰＤＵへの応答として非ＡＰ ＳＴＡによって送られることができる。
【００８４】
[0114]  図２７は、一実施形態にしたがった、ＨＥ Ａ制御フィールド７９５を備えるマルチＳＴＡブロック肯定応答（ＢＡ）フレーム２７００の例としてのフォーマットの図である。ＢＡフレーム２７００は、図２６のＢＡフレーム２６００に類似し、それから適合されている。簡潔にするために、ＢＡフレーム２６００と１７００との間の違いのみが、本書では説明される。図２７に示されているように、ＢＡフレーム２７００は、ＨＥ Ａ制御フィールド７９５を含むＢＡ情報フィールド２７１０を備える。ＨＥ Ａ制御フィールド７９５はＢＡ情報フィールド２７１０の終端に示されているが、それは、ＢＡ情報フィールド２７１０の一部に位置されるか、任意のＡＩＤまたはＴＩＤ値に関連付けされ得る。いくつかの態様では、ＨＥ Ａ制御フィールド７９５は、４、８バイト、または可変数のバイトを備え得る。いくつかの実施形態では、特定のＴＩＤ値は、ＨＥ Ａ制御フィールド７９５の存在を指示し得る。このＴＩＤ値に関連付けされたＳＴＡごとの情報サブフィールドは、ＢＡ開始シーケンス制御フィールド２６１２および／またはＢＡビットマップ・フィールド２６１３ではなくＨＥ Ａ制御フィールド７９５を伝達し得る。いくつかの態様では、ＡＩＤごとのＴＩＤ情報フィールド２６１１のＡＣＫタイプ・フィールドは、ＨＥ Ａ制御フィールド７９５の長さを指示し得る。いくつかの態様では、ＡＣＫタイプ・フィールドが第１の値である場合、ＨＥ Ａ制御フィールド７９５は、４バイトであり、ＡＣＫタイプ・フィールドが第２の値である場合、ＨＥ Ａ制御フィールド７９５は、８バイトまたは可変数のバイトである。
【００８５】
[0115]  [0116]  いくつかの態様では、ＡＰは、１つまたは複数のＳＴＡへの応答として、それのＳＴＡのうちの１つまたは複数に関わるＨＥ Ａ制御フィールド７９５およびそれのＳＴＡのうちの１つまたは複数に関わるＢＡ情報を包含するマルチＳＴＡ ＢＡフレーム２７００を送り得る。いくつかの態様では、ＢＡ情報およびＨＥ Ａ制御フィールド７９５は、同じＳＴＡまたは異なるＳＴＡに関わり得る。ＨＥ Ａ制御フィールド７９５はまた、ＳＴＡに関わるＵＬ ＭＵリソース割り当てを伝達することができる。他の実施形態では、ＳＴＡは、肯定応答およびフィードバック情報の両方を包含するマルチＳＴＡ ＢＡフレーム２７００を、応答として送り得る。
【００８６】
[0116]  本書に説明される、ＨＥ Ａ制御フレーム７９９に関わる実施形態は、Ａ−ＭＰＤＵにおける複数の制御フレームをアグリゲートする必要性を除去または低減し得るので、ＭＡＣオーバーヘッドを最小限にするのに有効に役立ち得る。さらに、ＨＥ Ａ制御フレーム７９９は、（例えば、レガシＰＰＤＵフォーマットにおいて伝達される）レガシ・コンプライアントであり得、すべての必要な制御情報が同じ制御フレームに含まれ、シームレスに追加される制御情報の組み合わせ（例えば、ＢＡ／Ａｃｋ＋トリガ、ＢＡ／Ａｃｋ＋バッファ状態、ＢＡ＋ＣＱＩ＋ＲＯＭＩ、エンハンスドＰＳポールなど）を可能にし得る。さらに、ＨＥ Ａ制御フレーム７９９は、制御ラッパーを必要としないＨＥ制御情報を搬送する有効かつフレキシブルな方法を提供し得る。
【００８７】
[0117]  「例としての（exemplary）」という用語は、本書において、「例、事例、または例示としての役割を果たすこと」を意味するために使用される。本書で「例としての」と説明される任意の実施形態は、他の実施形態に対して、必ずしも有利であるまたは好ましいとは解釈されない。新規のシステム、装置、および方法のさまざまな態様が、添付の図面を参照して以下により十分に説明される。しかしながら、本開示は、多くの異なる形態で具現化されることができ、本開示全体を通して提示される任意の特定の構造または機能に限定されるものとして解釈されるべきではない。むしろ、これらの態様は、本開示が徹底的かつ完全なものなり、本開示の範囲を当業者に十分に伝達するように、提供される。本書における教示に基づいて、本発明の任意の他の態様から独立して、または、本発明の任意の他の態様と組み合わせて、インプリメントされるか否かに関わらず、本開示の範囲が、本書に開示される新規のシステム、装置、および、方法の任意の態様をカバーすることを意図されていることを、当業者は理解すべきである。例えば、本書で説明される任意の数の態様を使用して、装置がインプリメントされ得、方法が実施され得る。加えて、本発明の範囲は、本書で説明される本発明のさまざまな態様に加えて、またはそれ以外の、他の構造、機能、または構造と機能を使用して実施されるこのような装置または方法をカバーすることが意図される。本書で開示される任意の態様が、請求項の１つまたは複数の要素によって具現化され得ることが理解されるべきである。
【００８８】
[0118]  特定の態様が本書で説明されるが、これらの態様の多くの変形および置換が、本開示の範囲内に含まれる。好ましい態様のいくつかの利益および利点が記述されるが、本開示の範囲は、特定の利益、使用法、または目的に限定されることが意図されたものではない。むしろ、本開示の態様は、異なるワイヤレス技術、システム構成、ネットワーク、および送信プロトコルに幅広く適用可能であることが意図されており、そのうちのいくつかは、図面および好ましい態様の下記の説明において例として例示される。詳細な説明および図面は単に、限定というよりはむしろ本開示の例示であり、本開示の範囲は、添付された特許請求の範囲およびそれらの同等物によって定義されている。
【００８９】
[0119]  例えば、「第１の」、「第２の」などのような指定（designation）を用いた本書における要素へのいかなる言及も、一般にこれら要素の数量または順序を限定しないことが理解されるべきである。むしろ、これらの指定は、２つ以上の要素または要素の事例を区別する便利なワイヤレス・デバイスとして本書で使用され得る。かくして、第１および第２の要素の言及は、２つの要素のみが使用され得ること、または第１の要素がいくつかの方法で第２の要素に先行しなければならないことを、意味するのではない。また、要素のセットは、そうではないと述べられない限り、1つまたは複数の要素を含み得る。
【００９０】
[0120]  本分野の当業者であれば、情報および信号が、さまざまな異なる技術および技法のいずれかを使用して示され得ることを理解するだろう。例えば、上記の説明にわたって参照され得るデータ、命令群、命令、情報、信号、ビット、シンボル、およびチップは、電圧、電流、電磁波、磁界または磁気粒子、光場または光学粒子、またはこれらの任意の組合せによって示され得る。
【００９１】
[0121]  さらに、ここに開示されている態様と関連して説明される、さまざまな例示的な論理ブロック、モジュール、プロセッサ、手段、回路、およびアルゴリズム・ステップの何れも、電子ハードウェア（例えば、デジタル実装、アナログ実装、またはこれら２つの組合せであり、これらは、情報源符号化（source coding）またはその他の技術を使用して設計され得る）、命令群を組み込んでいる設計コードまたはプログラムのさまざまな形態（それは、便宜上「ソフトウェア」または「ソフトウェア・モジュール」として本書では呼ばれ得る）、またはこれら両方の組合せとして、実装され得ることを、本分野の当業者は理解するだろう。ハードウェアおよびソフトウェアのこの互換性を明確に例示するために、さまざまな例示的なコンポーネント、ブロック、モジュール、回路、およびステップが、一般にそれらの機能性の観点から上述されてきた。このような機能が、ハードウェアとしてインプリメントされるか、あるいはソフトウェアとしてインプリメントされるかは、特定のアプリケーションおよびシステム全体に課せられる設計制約に依存する。当業者は、それぞれの特定のアプリケーションに対して多様な方法で説明された機能をインプリメントし得るが、このようなインプリメンテーションの決定は、本開示の範囲からの逸脱を引き起こしていると解釈されるべきでない。
【００９２】
[0122]  本書に開示される態様と関連して、および図１乃至７に関連して説明された、さまざまな例示的な論理ブロック、モジュール、および回路は、集積回路（ＩＣ）、アクセス端末、またはアクセス・ポイント内にインプリメントされ得るか、またはこれらによって実行され得る。ＩＣは、汎用プロセッサ、デジタル信号プロセッサ（ＤＳＰ）、特定用途向け集積回路（ＡＳＩＣ）、フィールド・プログラマブル・ゲート・アレー（ＦＰＧＡ）または他のプログラマブル・ロジック・デバイス、離散ゲート、またはトランジスタ・ロジック、離散ハードウェア・コンポーネント、電気的コンポーネント、光学的コンポーネント、機械的コンポーネント、または、ここに説明された機能を実施するように設計されたこれら任意の組合せを含み得、ＩＣ内、ＩＣ外、またはこれら両方に存在する命令群またはコードを実行し得る。論理ブロック、モジュール、および回路は、ネットワーク内またはデバイス内のさまざまなコンポーネントと通信するために、アンテナおよび／またはトランシーバを含み得る。汎用プロセッサは、マイクロプロセッサであり得るが、選択的にプロセッサは、任意の従来のプロセッサ、制御装置、マイクロコントローラ、またはステート・マシンであり得る。プロセッサはまた、例えば、ＤＳＰとマイクロプロセッサ、複数のマイクロプロセッサ、ＤＳＰコアと連結した１つまたは複数のマイクロプロセッサ、または任意の他のそのような構成の組み合わせのような、コンピューティング・デバイスの組み合わせとしてインプリメントされ得る。モジュールの機能性は、ここに教示されているように、その他の方法でインプリメントされ得る。（例えば、添付の図の１つまたは複数に関して）ここに説明される機能性は、いくつかの態様では、同様に指定された、添付の請求項における機能性「のための手段」に対応し得る。
【００９３】
[0123]  ソフトウェア中でインプリメントされた場合、それらの機能は、コンピュータ可読媒体上で、１つまたは複数の命令あるいはコードとして記憶または送信され得る。ここに説明されるアルゴリズムまたは方法の複数のステップは、コンピュータ可読媒体に存在し得るプロセッサ実行可能ソフトウェア・モジュールにおいて実施され得る。コンピュータ可読媒体は、１つの場所から他の場所へのコンピュータ・プログラムを移動するために使用可能であることができる任意の媒体を含む、通信媒体およびコンピュータ記憶媒体の両方を含む。記憶媒体は、コンピュータによってアクセスされ得る任意の使用可能な媒体であり得る。限定ではなく例の目的で、このようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または、命令またはデータ構造の形態で所望のプログラム・コードを記憶するために使用され得、およびコンピュータによってアクセスされ得るその他任意の媒体を含み得る。また、任意の接続が、コンピュータ可読媒体と適切に称されることができる。本書で使用されているようなディスク（disk）およびディスク（disc）は、コンパクト・ディスク（ＣＤ）、レーザ・ディスク、光ディスク、デジタル多用途ディスク（ＤＶＤ)、フロッピー（登録商標）ディスク、およびブルーレイ・ディスク（登録商標）を含み、ディスク（disk）は通例磁気的にデータを再生し、これに対してディスク（disc）は、レーザを用いて光学的にデータを再生する。上記の組合せもまた、コンピュータ可読媒体の範囲内に含まれるべきである。さらに、方法またはアルゴリズムの動作は、機械可読媒体およびコンピュータ可読媒体における命令群およびコードのセット、またはこれらのうちの１つまたはこれらの任意の組合せとして存在し得、コンピュータ・プログラム製品に組み込まれ得る。
【００９４】
[0124]  何れかの開示された処理におけるステップの何れかの特定の順序または階層も、サンプルのアプローチの例であることが理解される。設計の好みに基づいて、本開示の範囲内にありながら、プロセスのステップの優先度または特定の順番が再調整され得ることが、理解される。添付の方法請求項は、見本としての順番でさまざまなステップの複数の要素を示しており、示されている優先度または特定の順番に限定されることは、意図されない。
【００９５】
[0125]  本開示で説明される実施へのさまざまな変更は、当業者にとって容易に明らかであり得、および、本書で定義される一般的な原理は、本開示の精神または範囲から逸脱することなく他の実施に適用され得る。かくして、本開示は、ここに示されているインプリメンテーションに制限されることは意図されておらず、しかし、ここに開示される新規の特徴、原理および請求項に一致する最も広い範囲が与えられるべきである。「例としての（exemplary）」という言葉は、「例、事例、または実例としての役割を果たす」ことを意味するためにのみ、本書で使用されている。「例としての」ものとして、本書に説明された任意のインプリメンテーションは、他のインプリメンテーションに対して有利なまたは好ましいものと必ずしも解釈されるべきではない。
【００９６】
[0126]  別個のインプリメンテーションのコンテキストで本書において説明される特定の特徴はまた、単一の実施において組み合わせてインプリメントされることができる。反対に、単一のインプリメンテーションのコンテキストにおいて説明されるさまざまな特徴は、また、複数のインプリメンテーションで別々に、または任意の適切なサブコンビネーションでインプリメントされることができる。さらに、特徴が、特定の組合せで動作するとして上に説明され、さらにそのように最初に請求され得るが、請求されている組み合わせからの1つまたは複数の特徴が、同じ場合において、組合せから削除されることができ、請求されている組み合わせは、サブコンビネーション、またはサブコンビネーションの変形例を対象とし得る。
【００９７】
[0127]  同様に、動作が特定の順序で図面に図示されているが、このことは、そのような動作が、所望の結果を達成するために、示された特定の順序または連続した順序で行われること、またはすべての例示された動作が行われることを必要とするものとして理解されるべきではない。特定の状況では、マルチタスクおよび並行処理が、有効となり得る。さらに、上述されたインプリメンテーションにおけるさまざまなシステムコンポーネントの分離が、すべてのインプリメンテーションにおいてそのような分離を必要とするものとして理解されるべきではなく、説明されたプログラム・コンポーネントおよびシステムが、一般に、単一のソフトウェア製品に共に一体化され、または複数のソフトウェア製品にパッケージ化されることができると理解されるべきである。加えて、他のインプリメンテーションは、下記の特許請求の範囲内にある。いくつかの場合では、請求項に記載されている動作は、異なる順番で実施されることができ、それでも所望の結果を得ることができる。
以下に本願発明の当初の特許請求の範囲に記載された発明を付記する。
［Ｃ１］
ワイヤレス通信の方法であって、
可変数の制御フィールドから、フレームに含めるための１つまたは複数の制御フィールドを選択することと、
前記選択された数の制御フィールドを備える前記フレームを生成することと、
前記フレームを送信することと、
を備える、方法。
［Ｃ２］
各制御フィールドは、第１のフィールドをさらに備え、前記第１のフィールドは、前記制御フィールドのバリアント（variant）を備える前記制御フィールドを指示するインジケータを記憶する、Ｃ１に記載の方法。
［Ｃ３］
前記バリアントは、前記制御フィールドの超ハイ・スループット（ＶＨＴ）バリアントの高効率（ＨＥ）バリアントを備える、Ｃ２に記載の方法。
［Ｃ４］
各制御フィールドは、
制御識別子フィールドと、
制御情報フィールドと、をさらに備え、前記制御情報フィールドは、通信のための情報を含み、前記制御識別子フィールドは、前記情報のタイプを指示するインジケータを含む、Ｃ１に記載の方法。
［Ｃ５］
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて前記フィードバック・フィールドのコンテンツは、前記チャネル／ＭＣＳ指示フィールドに基づき、ここにおいて前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて制御情報フィールドは、ＣＲＣフィールドを備える、
のうちの少なくとも１つを指示する、Ｃ４に記載の方法。
［Ｃ６］
前記フレームを生成することは、物理レイヤ・コンバージェンス・プロシージャ（ＰＬＣＰ）プロトコル・データ・ユニット（ＰＰＤＵ）フレームの物理レイヤ・ヘッダ部分内で前記フレームを生成することを備え、ここにおいて前記物理レイヤ・ヘッダ部分は、信号フィールド、ロング・トレーニング・フィールドおよびショート・トレーニング・フィールドのうちの１つまたは複数を備える、Ｃ１に記載の方法。
［Ｃ７］
前記フレームを生成することは、前記１つまたは複数の制御フィールドを包含するアグリゲートされたメディア・アクセス制御プロトコル・データ・ユニット（Ａ−ＭＰＤＵ）サブフレーム内で前記フレームを生成することを備える、Ｃ１に記載の方法。
［Ｃ８］
前記制御識別子フィールドは、バッファ状態（ＢＳ）要求またはＢＳ報告を指示し、ここにおいて前記制御情報フィールドは、バッファ状態情報に対する要求またはバッファ状態情報についての報告を包含する１つまたは複数のサブフィールドを備える、Ｃ４に記載の方法。
［Ｃ９］
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、Ｃ８に記載の方法。
［Ｃ１０］
前記制御識別子フィールドは、トリガ情報を指示し、ここにおいて、前記制御情報フィールドは、トリガ情報フィールドを備える、Ｃ４に記載の方法。
［Ｃ１１］
前記トリガ情報フィールドは、局に関わるサブチャネル情報を指示するか、圧縮または非圧縮のアップリンク媒体アクセス制御（ＭＡＣ）フォーマットを指示する、Ｃ１０に記載の方法。
［Ｃ１２］
前記選択された数の制御フィールドは、第１のデバイスに宛てられた１つまたは複数の第１の制御フィールドおよび第２のデバイスに宛てられた１つまたは複数の第２の制御フィールドを備える、Ｃ１に記載の方法。
［Ｃ１３］
前記１つまたは複数の第１の制御フィールドおよび前記１つまたは複数の第２の制御フィールドは、コード、周波数、または時間において多重化される、Ｃ１に記載の方法。
［Ｃ１４］
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ１に記載の方法。
［Ｃ１５］
前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ１に記載の方法。
［Ｃ１６］
前記制御識別子フィールドは、アップリンク（ＵＬ）マルチユーザ（ＭＵ）応答スケジューリングを指示し、ここにおいて、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含む、Ｃ４に記載の方法。
［Ｃ１７］
前記制御情報フィールドは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、Ｃ１６に記載の方法。
［Ｃ１８］
前記フレームは、１つまたは複数の制御フィールドの長さが長さ要件または境界要件を満たすように前記１つまたは複数の制御フィールドに後続するパディング・フィールドをさらに備える、Ｃ１に記載の方法。
［Ｃ１９］
前記長さ要件は、３０ビットであり、前記境界要件は、オクテットの倍数である、Ｃ１８に記載の方法。
［Ｃ２０］
前記フレームは、マルチプル局ブロック肯定応答（ＢＡ）フレームを備える、Ｃ１に記載の方法。
［Ｃ２１］
前記フレームは、トリガ・フレームを備える、Ｃ１に記載の方法。
［Ｃ２２］
前記フレームは、前記ＡＩＤフィールドの値を備え、それは、前記ＡＩＤフィールドのその値に後続する１つまたは複数の制御フィールドの存在を指示する、Ｃ２１に記載の方法。
［Ｃ２３］
前記ＡＩＤフィールドの前記値は、２０４７である、Ｃ２２に記載の方法。
［Ｃ２４］
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示する、Ｃ１に記載の方法。
［Ｃ２５］
前記ＡＩＤごとのＴＩＤ情報フィールドは、前記選択された数の制御フィールドに関わる複数のバイトを指示するタイプ・フィールドを備える、Ｃ２４に記載の方法。
［Ｃ２６］
前記ＡＩＤごとのＴＩＤ情報フィールドは、前記ＡＩＤごとのＴＩＤ情報フィールドの前記ＡＩＤサブフィールドによって識別される前記ＳＴＡのための１つまたは複数の制御フィールドの前記存在を指示する前記ＴＩＤサブフィールドの値を備える、Ｃ２４に記載の方法。
［Ｃ２７］
ワイヤレス・ネットワークにおいて通信するためのデバイスであって、
可変数の制御フィールドから、フレームに含めるための１つまたは複数の制御フィールドを選択するように構成されたプロセッサと、前記プロセッサは、前記選択された数の制御フィールドを備える前記フレームを生成するようにさらに構成されており、
前記フレームを送信するように構成された送信機と、
を備える、デバイス。
［Ｃ２８］
各制御フィールドは、第１のフィールドをさらに備え、前記第１のフィールドは、前記制御フィールドのバリアントを備える前記制御フィールドを指示するインジケータを記憶する、Ｃ２７に記載のデバイス。
［Ｃ２９］
前記バリアントは、前記制御フィールドの超ハイ・スループット（ＶＨＴ）バリアントの高効率（ＨＥ）バリアントを備える、Ｃ２８に記載のデバイス。
［Ｃ３０］
各制御フィールドは、
制御識別子フィールドと、
制御情報フィールドと、をさらに備え、前記制御情報フィールドは、通信のための情報を含み、前記制御識別子フィールドは、前記情報のタイプを指示するインジケータを含む、Ｃ２７に記載のデバイス。
［Ｃ３１］
情報の前記タイプは、肯定応答、否定応答、ブロック肯定応答要求、ブロック肯定応答、チャネル品質情報、変調および符号化スキーム（ＭＣＳ）フィードバック、パワー・セーブ（ＰＳ）ポール、および巡回冗長検査、のうちの少なくとも１つを備え、ここにおいて、前記制御フィールドは、
チャネル品質情報と変調および符号化スキーム（ＭＣＳ）フィードバックと、ここにおいて前記制御情報フィールドは、制御フィールド、チャネル・ビットマップ・フィールド、サブチャネル・フィールドおよびフィードバック・フィールドを備え、ここにおいて、前記フィードバック・フィールドのコンテンツは、前記チャネル／ＭＣＳ指示フィールドに基づき、ここにおいて、前記フィードバック・フィールドは、複数の空間ストリーム・フィールド、ＭＣＳフィールド、マルチユーザ／符号化フィールド、および信号対雑音比（ＳＮＲ）フィールドを備える、
要求／応答フィールド、ダイアログ・トークン・フィールド、サブチャネル・ビットマップ・プレゼント・フィールド、およびチャネル／ＭＣＳ指示フィールドと、
パワー・セーブ・ポール・フィールドと、
巡回冗長検査（ＣＲＣ）と、ここにおいて制御情報フィールドは、ＣＲＣフィールドを備える、
のうちの少なくとも１つを指示する、Ｃ３０に記載のデバイス。
［Ｃ３２］
前記プロセッサは、物理レイヤ・コンバージェンス・プロシージャ（ＰＬＣＰ）プロトコル・データ・ユニット（ＰＰＤＵ）フレームの物理レイヤ・ヘッダ部分内で前記フレームを生成するようにさらに構成されており、ここにおいて前記物理レイヤ・ヘッダ部分は、信号フィールド、ロング・トレーニング・フィールドおよびショート・トレーニング・フィールドのうちの１つまたは複数を備える、Ｃ２７に記載のデバイス。
［Ｃ３３］
前記プロセッサは、前記１つまたは複数の制御フィールドを包含するアグリゲートされたメディア・アクセス制御プロトコル・データ・ユニット（Ａ−ＭＰＤＵ）サブフレーム内で前記フレームを生成するようにさらに構成されている、Ｃ２７に記載のデバイス。
［Ｃ３４］
前記制御識別子フィールドは、バッファ状態（ＢＳ）要求またはＢＳ報告を指示し、ここにおいて前記制御情報フィールドは、バッファ状態情報に対する要求またはバッファ状態情報についての報告を包含する１つまたは複数のサブフィールドを備える、Ｃ３０に記載のデバイス。
［Ｃ３５］
前記制御情報フィールドは、サービス品質（ＱｏＳ）制御フィールドを備え、ここにおいて前記ＱｏＳ制御フィールドは、ＢＳポーリングが１つのトラヒック識別子（ＴＩＤ）ごとであるかすべてのＴＩＤであるかを指示するＴＩＤフィールド、送信機会フィールド、およびキュー・サイズ・フィールドを備える、Ｃ３４に記載のデバイス。
［Ｃ３６］
前記制御識別子フィールドは、トリガ情報を指示し、ここにおいて、前記制御情報フィールドは、トリガ情報フィールドを備える、Ｃ３０に記載のデバイス。
［Ｃ３７］
前記トリガ情報フィールドは、局に関わるサブチャネル情報を指示するか、圧縮または非圧縮のアップリンク媒体アクセス制御（ＭＡＣ）フォーマットを指示する、Ｃ３６に記載のデバイス。
［Ｃ３８］
前記選択された数の制御フィールドは、第１のデバイスに宛てられた１つまたは複数の第１の制御フィールドおよび第２のデバイスに宛てられた１つまたは複数の第２の制御フィールドを備える、Ｃ２７に記載のデバイス。
［Ｃ３９］
前記１つまたは複数の第１の制御フィールドおよび前記１つまたは複数の第２の制御フィールドは、コード、周波数、または時間において多重化される、Ｃ２７に記載のデバイス。
［Ｃ４０］
前記フレームを送信することは、アップリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ２７に記載のデバイス。
［Ｃ４１］
前記フレームを送信することは、ダウンリンク・マルチプル・ユーザ物理レイヤ・コンバージェンス・プロシージャ（ＰＬＣＰ）プロトコル・データ・ユニット（ＰＰＤＵ）フレームを使用して前記フレームを送信することを備える、Ｃ２７に記載のデバイス。
［Ｃ４２］
前記制御識別子フィールドは、アップリンク（ＵＬ）マルチユーザ（ＭＵ）応答スケジューリングを指示し、ここにおいて、前記制御情報フィールドは、肯定応答情報を含むＵＬ物理レイヤ・コンバージェンス・プロシージャ（ＰＬＣＰ）プロトコル・データ・ユニット（ＰＰＤＵ）フレームを送信するためのスケジューリング情報を含む、Ｃ３０に記載のデバイス。
［Ｃ４３］
前記制御情報フィールドは、ＵＬ ＰＰＤＵフレームの長さを指示するＵＬ ＰＰＤＵ長さフィールドと、前記ＵＬ ＰＰＤＵフレームを送信するために割り当てられたリソース・ユニットを指示するリソース割当てフィールドとを備える、Ｃ４２に記載のデバイス。
［Ｃ４４］
前記フレームは、前記１つまたは複数の制御フィールドの長さが長さ要件または境界要件を満たすように１つまたは複数の制御フィールドに後続するパディング・フィールドをさらに備える、Ｃ２７に記載のデバイス。
［Ｃ４５］
前記長さ要件は、３０ビットであり、前記境界要件は、オクテットの倍数である、Ｃ４４に記載のデバイス。
［Ｃ４６］
前記フレームは、マルチプル局ブロック肯定応答（ＢＡ）フレームを備える、Ｃ２７に記載のデバイス。
［Ｃ４７］
前記フレームは、トリガ・フレームを備える、Ｃ２７に記載のデバイス。
［Ｃ４８］
前記フレームは、前記ＡＩＤフィールドの値を備え、それは、前記ＡＩＤフィールドのその値に後続する１つまたは複数の制御フィールドの存在を指示する、Ｃ４７に記載のデバイス。
［Ｃ４９］
前記ＡＩＤフィールドの前記値は、２０４７である、Ｃ４８に記載のデバイス。
［Ｃ５０］
前記フレームは、アソシエーション識別子（ＡＩＤ）ごとのトラヒック識別子（ＴＩＤ）情報フィールドをさらに備え、前記ＡＩＤごとのＴＩＤ情報フィールドは、前記選択された数の制御フィールドの存在を指示する、Ｃ２７に記載のデバイス。
［Ｃ５１］
前記ＡＩＤごとのＴＩＤ情報フィールドは、前記選択された数の制御フィールドに関わる複数のバイトを指示するタイプ・フィールドを備える、Ｃ５０に記載のデバイス。
［Ｃ５２］
前記ＡＩＤごとのＴＩＤ情報フィールドは、前記ＡＩＤごとのＴＩＤ情報フィールドの前記ＡＩＤサブフィールドによって識別される前記ＳＴＡのための１つまたは複数の制御フィールドの前記存在を指示する前記ＴＩＤサブフィールドの値を備える、Ｃ５０に記載のデバイス。
［Ｃ５３］
ワイヤレス・ネットワークにおいて通信するためのデバイスであって、
可変数の制御フィールドから、フレームに含めるための１つまたは複数の制御フィールドを選択するための手段と、
前記選択された数の制御フィールドを備える前記フレームを生成するための手段と、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信するための手段と、
を備える、デバイス。
［Ｃ５４］
実行されるとき、プロセッサにワイヤレス通信の方法を実施させる命令を備えるコンピュータ可読記憶媒体であって、前記方法は、
可変数の制御フィールドから、フレームに含めるための１つまたは複数の制御フィールドを選択することと、
前記選択された数の制御フィールドを備える前記フレームを生成することと、各制御フィールドは、制御フィールドの終端を備え、前記制御フィールドの終端は、前記フレームにおける別の制御フィールドの存在、または前記選択された数の制御フィールドの終端を指示するインジケータを記憶する、
前記フレームを送信することと、
を備える、コンピュータ可読記憶媒体。
【図１】
0006783804.tif 000002
【図２】
0006783804.tif 000003
【図３】
0006783804.tif 000004
【図４】
0006783804.tif 000005
【図５】
0006783804.tif 000006
【図６】
0006783804.tif 000007
【図７Ａ】
0006783804.tif 000008
【図７Ｂ】
0006783804.tif 000009
【図８Ａ】
0006783804.tif 000010
【図８Ｂ】
0006783804.tif 000011
【図９】
0006783804.tif 000012
【図１０】
0006783804.tif 000013
【図１１】
0006783804.tif 000014
【図１２】
0006783804.tif 000015
【図１３】
0006783804.tif 000016
【図１４】
0006783804.tif 000017
【図１５】
0006783804.tif 000018
【図１６】
0006783804.tif 000019
【図１７Ａ】
0006783804.tif 000020
【図１７Ｂ】
0006783804.tif 000021
【図１８】
0006783804.tif 000022
【図１９】
0006783804.tif 000023
【図２０】
0006783804.tif 000024
【図２１Ａ】
0006783804.tif 000025
【図２１Ｂ】
0006783804.tif 000026
【図２２】
0006783804.tif 000027
【図２３】
0006783804.tif 000028
【図２４】
0006783804.tif 000029
【図２５】
0006783804.tif 000030
【図２６】
0006783804.tif 000031
【図２７】
0006783804.tif 000032